(57)【要約】【課題】任意の色および明るさが認識されるように各光の出射量を確実かつ容易に調整可能とする。【解決手段】各レーザ（光源）から出力されるレーザ光Ｌ毎の三刺激値を測定する測定処理（ステップ２１）と、目標色度値、目標測光量、および測定した各三刺激値に基づき、各レーザ光Ｌ毎に、目標色度値および目標測光量に対応する目標三刺激値を特定可能な目標調整値を演算する調整値特定処理（ステップ２２）と、目標色度値、目標測光量、色度値許容誤差、測光量許容誤差、および各目標調整値に基づき、各レーザから出力されるべきレーザ光Ｌ毎に、目標色度値に対する色度値許容誤差の範囲内の色度値で、かつ目標測光量に対する測光量許容誤差の範囲内の測光量となる目標三刺激値範囲を特定可能な調整完了判定範囲（目標調整値範囲）を演算する調整範囲特定処理（ステップ２３）とを実行し、各調整完了判定範囲に基づいて調整用情報を生成する。【選択図】図２
2020127203.tif 000002
【特許請求の範囲】
【請求項１】
赤色光源からの光の出射量、緑色光源からの光の出射量、および青色光源からの光の出射量を変化させることで色および明るさを任意に変化させる光出力装置を調整対象として任意の色および任意の明るさが認識されるように当該各光源からの光の出射量をそれぞれ調整するための調整用情報を生成する処理部を備えた調整用情報生成装置であって、
前記処理部は、前記各光源から出力される光毎の三刺激値をそれぞれ測定する測定処理と、前記任意の色に対応する目標色度値、前記任意の明るさに対応する目標測光量、および前記測定処理によって測定した前記各三刺激値に基づき、前記各光源から出力されるべき光毎に、当該目標色度値および当該目標測光量に対応する目標三刺激値を特定可能な目標調整値をそれぞれ演算する調整値特定処理と、前記目標色度値、前記目標測光量、予め指定された色度値許容誤差、予め指定された測光量許容誤差、および前記各目標調整値に基づき、前記各光源から出力されるべき光毎に、当該目標色度値に対する当該色度値許容誤差の範囲内の色度値で、かつ当該目標測光量に対する当該測光量許容誤差の範囲内の測光量となる目標三刺激値範囲を特定可能な目標調整値範囲をそれぞれ演算する調整範囲特定処理とを実行し、当該調整範囲特定処理によって演算した前記各目標調整値範囲に基づいて前記調整用情報を生成する調整用情報生成装置。
【請求項２】
赤色光源からの光の出射量、緑色光源からの光の出射量、および青色光源からの光の出射量を変化させることで色および明るさを任意に変化させる光出力装置を調整対象として任意の色および任意の明るさが認識されるように当該各光源からの光の出射量をそれぞれ調整するための調整用情報を生成する処理部を備えた調整用情報生成装置であって、
前記処理部は、前記各光源から出力される光毎の三刺激値をそれぞれ測定する測定処理と、前記任意の色に対応する目標色度値、前記任意の明るさに対応する目標測光量、および前記測定処理によって測定した前記各三刺激値に基づき、前記各光源から出力されるべき光毎に、当該目標色度値および当該目標測光量に対応する目標三刺激値を特定可能な目標調整値をそれぞれ演算する調整値特定処理と、予め規定された調整値変更範囲内で前記目標調整値を変更した仮想調整値に対応する予測色度値および予測測光量を演算する処理を、当該目標調整値を無作為に変更して複数回実行した後に、前記目標色度値に対する予め指定された色度値許容誤差の範囲内の前記予測色度値が演算され、かつ前記目標測光量に対する予め指定された測光量許容誤差の範囲内の前記予測測光量が演算された前記各仮想調整値のなかで最も低い値を下限値とすると共に最も高い値を上限値とする目標調整値範囲を特定する調整範囲特定処理とを実行し、当該調整範囲特定処理によって特定した前記各目標調整値範囲に基づいて前記調整用情報を生成する調整用情報生成装置。
【請求項３】
請求項１または２記載の調整用情報生成装置を備えた調整作業補助装置であって、
前記処理部は、前記各光源からの光の出射量が、前記調整用情報に基づいて特定される前記目標調整値範囲内の調整値に対応する出射量になっているかを判定する第１判定処理、および当該第１判定処理の結果を特定可能に報知する第１報知処理を実行する調整作業補助装置。
【請求項４】
前記処理部は、前記各光源からの光の合成光が、前記目標色度値に対する前記色度値許容誤差の範囲内の色度値になっているか否か、および前記目標測光量に対する前記測光量許容誤差の範囲内の測光量になっているか否かをそれぞれ判定する第２判定処理を実行すると共に、当該合成光が、当該目標色度値に対する当該色度値許容誤差の範囲内の色度値で、かつ当該目標測光量に対する当該測光量許容誤差の範囲内の測光量になっていると判定したときに、当該各光源からの光の出射量の調整が完了したことを特定可能に報知する第２報知処理を実行する請求項３記載の調整作業補助装置。
【請求項５】
前記処理部は、前記第１判定処理において前記目標調整値範囲内の前記調整値に対応する出射量となっていると判定し、かつ前記第２判定処理において前記目標色度値に対する前記色度値許容誤差の範囲内の色度値になっていないと判定する第１条件、および前記第１判定処理において前記目標調整値範囲内の前記調整値に対応する出射量となっていると判定し、かつ前記第２判定処理において前記目標測光量に対する前記測光量許容誤差の範囲内の測光量になっていないと判定する第２条件の少なくとも一方の条件が満たされたときに、直前に特定した前記目標調整値範囲よりも狭い当該目標調整値範囲を特定し、特定した新たな当該目標調整値範囲を新たな前記調整用情報として前記第１判定処理および前記第２判定処理を再び実行する請求項４記載の調整作業補助装置。
【請求項６】
請求項１または２記載の調整用情報生成装置を備えた調整作業補助装置であって、
前記処理部は、前記各光源からの光の出射量が、前記調整用情報に基づいて特定される前記目標調整値範囲の中心値に対応する出射量を超えて変化させられて当該目標調整値範囲内の調整値に対応する出射量になっているかを判定する第３判定処理、および当該第３判定処理の結果を特定可能に報知する第３報知処理を実行する調整作業補助装置。
【請求項７】
請求項１または２記載の調整用情報生成装置を備え、前記任意の色および前記任意の明るさが認識されるように前記各光源からの光の出射量をそれぞれ調整可能に構成された調整装置であって、
前記処理部は、前記各光源からの光の出射量が前記調整用情報に基づいて特定される前記目標調整値範囲内の調整値に対応する出射量になっているかを判定する判定処理を実行し、当該各光源からの光の出射量が当該目標調整値範囲内の調整値に対応する出射量になっていないときに、前記各光源からの光の出射量を予め規定された変更量だけ変更する出射量調整処理を実行した後に前記判定処理を再び実行する調整装置。
【請求項８】
前記処理部は、前記出射量調整処理の後に実行する前記判定処理において、前記各光源からの光の出射量が、前記目標調整値範囲を超えて当該目標調整値範囲を外れた調整値に対応する出射量に変更されたと判定したときに、次に実行する前記出射量調整処理時に前記各光源からの光の出射量を変更する前記変更量を、直前に実行した前記出射量調整処理時に前記各光源からの光の出射量を変更した前記変更量よりも予め規定された量だけ少なく規定する請求項７記載の調整装置。
【発明の詳細な説明】
【技術分野】
【０００１】
本発明は、光出力装置における各光源からの光の出射量を任意の色および任意の明るさが認識されるように調整するための調整用情報を生成する調整用情報生成装置、並びに、そのような調整用情報生成装置を備えて構成された調整作業補助装置および調整装置に関するものである。
【背景技術】
【０００２】
例えば、下記の特許文献には、色調整を行うことで目標の色度値になったときの調整係数を調整確定値として記憶するＲＧＢ調整係数メモリと、調整確定値をガンマテーブルに反映して調整用ガンマテーブルを作成するマイコンと、調整用ガンマテーブルに基づいてガンマ処理するガンマ処理装置とを備えたテレビジョン受像機（以下、単に「受像機」ともいう）の発明が開示されている。この受像機は、ホワイトバランス調整に際して、調整用の映像信号を外部から導入して調整用のパターンを表示させたり、調整専用の映像データをメモリに記憶させておいて調整用のパターンを表示させたりすることなく、通常の映像処理に際して使用するガンマテーブルを利用して調整用のパターン（映像）を表示させる構成が採用されている。
【０００３】
この受像機においてホワイトバランス調整を行う際には、まず、ホワイトバランス調整開始キーを操作する。これに応じて、マイコンが、ＲＧＢ調整係数メモリから調整係数を読み出して調整用ガンマテーブルを生成する処理（ガンマテーブルの修正処理）を開始する。この際には、処理の開始直後（未調整状態）であることでＲ，Ｇ，Ｂの各調整係数が同じ値となっているため、Ｒ，Ｇ，Ｂのそれぞれについて同じ出力値のガンマテーブルが生成される。このような調整用ガンマテーブルがガンマ処理装置に設定された状態では、液晶モジュールの全域に亘って均一な輝度パターン（ラスター映像）が表示される。したがって、この映像を調整用のパターンとして使用して調整作業を実行する。
【０００４】
具体的には、調整作業者は、液晶モジュールに表示された映像（パターン）の色度値を色度計によって測定しつつ、目標の色度値が測定されるように、Ｒ，Ｇ，Ｂの調整係数をそれぞれ変更する。この際には、一例として、色度計の出力値（色度値：色度図座標）が目標値（例えば、ｘ＝０．３００、ｙ＝０．３００）となるように調整係数をそれぞれ変更する。この際に、マイコンは、Ｒ，Ｇ，Ｂの調整係数のいずれかが変更されたときに、変更された調整係数の値をＲＧＢ調整係数メモリに記憶し、調整係数の読み出し処理に戻って調整用ガンマテーブルを再度生成する。これにより、調整係数の変更に対応してガンマテーブルの出力値が変更された新たなラスター映像が液晶モジュールに表示され、その映像の色度値が色度計によって測定されることとなる。
【０００５】
一方、表示される映像の色度値が目標値に対する許容範囲内の値となるように調整係数が変更されたときに、マイコンは、その調整係数を調整確定値としてＲＧＢ調整係数メモリに記憶させる。これにより、目標の色度値が得られる状態（所望の色合いの映像を表示可能な状態）となり、ホワイトバランス調整作業が完了する。
【先行技術文献】
【特許文献】
【０００６】
【特許文献１】特開２００６−３２５０１４号公報（第３−５頁、第１−６図）
【発明の概要】
【発明が解決しようとする課題】
【０００７】
ところが、上記の特許文献に開示されている受像機において実施されるホワイトバランス調整方法には、以下のような問題点が存在する。すなわち、上記の調整方法では、液晶モジュールの全域に亘って均一な輝度パターン（ラスター映像）を表示させ、その色度値を色度計によって測定しつつ、目標の色度値が測定されるように、Ｒの調整係数、Ｇの調整係数、およびＢの調整係数をそれぞれ変更している。
【０００８】
この場合、この種の調整作業に不慣れな者にとっては、例えば、「ｘ＝０．３００、ｙ＝０．３００」との色度値を目標値とする調整作業に際して、色度計によって測定された色度値が「ｘ＝０．２９６、ｙ＝０．３２９」であったときに、Ｒの調整係数、Ｇの調整係数、およびＢの調整係数をそれぞれどのような値とすべきか（値の増加および値の減少のいずれを行うかや、どの程度変更すべきかなど）を判断するのが困難となっている。したがって、Ｒ，Ｇ，Ｂの各調整係数のいずれかを適当に変更し（増加、または減少させ）、その状態において測定される色度値と、変更前の色度値とを比較することで、その調整係数の変更が正しかったか否かを判断しながら、各調整係数の変更、および色度値の測定を多数回に亘って交互に繰り返して実行する必要がある。
【０００９】
このため、上記の特許文献に開示されているホワイトバランス調整方法では、調整作業に不慣れな者が、色度値が目標値となる状態に調整するのは非常に困難であるという問題点がある。また、調整作業に慣れている者であっても、Ｒ，Ｇ，Ｂの各調整係数（３つの調整項目）の変更によって「ｘ」、「ｙ」の２つのパラメータからなる色度値を目標値に合致させるのが非常に困難であるため、調整作業に非常に長い時間を要するという問題点がある。
【００１０】
本発明は、かかる問題点に鑑みてなされたものであり、任意の色および任意の明るさが認識されるように各光源からの光の出射量を確実かつ容易に調整させ得る調整用情報生成装置および調整作業補助装置、並びにそのような調整用情報生成装置を備えて各光源からの光の出射量を調整可能に構成された調整装置を提供することを主目的とする。
【課題を解決するための手段】
【００１１】
上記目的を達成すべく、請求項１記載の調整用情報生成装置は、赤色光源からの光の出射量、緑色光源からの光の出射量、および青色光源からの光の出射量を変化させることで色および明るさを任意に変化させる光出力装置を調整対象として任意の色および任意の明るさが認識されるように当該各光源からの光の出射量をそれぞれ調整するための調整用情報を生成する処理部を備えた調整用情報生成装置であって、前記処理部は、前記各光源から出力される光毎の三刺激値をそれぞれ測定する測定処理と、前記任意の色に対応する目標色度値、前記任意の明るさに対応する目標測光量、および前記測定処理によって測定した前記各三刺激値に基づき、前記各光源から出力されるべき光毎に、当該目標色度値および当該目標測光量に対応する目標三刺激値を特定可能な目標調整値をそれぞれ演算する調整値特定処理と、前記目標色度値、前記目標測光量、予め指定された色度値許容誤差、予め指定された測光量許容誤差、および前記各目標調整値に基づき、前記各光源から出力されるべき光毎に、当該目標色度値に対する当該色度値許容誤差の範囲内の色度値で、かつ当該目標測光量に対する当該測光量許容誤差の範囲内の測光量となる目標三刺激値範囲を特定可能な目標調整値範囲をそれぞれ演算する調整範囲特定処理とを実行し、当該調整範囲特定処理によって演算した前記各目標調整値範囲に基づいて前記調整用情報を生成する。
【００１２】
また、請求項２記載の調整用情報生成装置は、赤色光源からの光の出射量、緑色光源からの光の出射量、および青色光源からの光の出射量を変化させることで色および明るさを任意に変化させる光出力装置を調整対象として任意の色および任意の明るさが認識されるように当該各光源からの光の出射量をそれぞれ調整するための調整用情報を生成する処理部を備えた調整用情報生成装置であって、前記処理部は、前記各光源から出力される光毎の三刺激値をそれぞれ測定する測定処理と、前記任意の色に対応する目標色度値、前記任意の明るさに対応する目標測光量、および前記測定処理によって測定した前記各三刺激値に基づき、前記各光源から出力されるべき光毎に、当該目標色度値および当該目標測光量に対応する目標三刺激値を特定可能な目標調整値をそれぞれ演算する調整値特定処理と、予め規定された調整値変更範囲内で前記目標調整値を変更した仮想調整値に対応する予測色度値および予測測光量を演算する処理を、当該目標調整値を無作為に変更して複数回実行した後に、前記目標色度値に対する予め指定された色度値許容誤差の範囲内の前記予測色度値が演算され、かつ前記目標測光量に対する予め指定された測光量許容誤差の範囲内の前記予測測光量が演算された前記各仮想調整値のなかで最も低い値を下限値とすると共に最も高い値を上限値とする目標調整値範囲を特定する調整範囲特定処理とを実行し、当該調整範囲特定処理によって特定した前記各目標調整値範囲に基づいて前記調整用情報を生成する。
【００１３】
また、請求項３記載の調整作業補助装置は、請求項１または２記載の調整用情報生成装置を備えた調整作業補助装置であって、前記処理部は、前記各光源からの光の出射量が、前記調整用情報に基づいて特定される前記目標調整値範囲内の調整値に対応する出射量になっているかを判定する第１判定処理、および当該第１判定処理の結果を特定可能に報知する第１報知処理を実行する。
【００１４】
さらに、請求項４記載の調整作業補助装置は、請求項３記載の調整作業補助装置において、前記処理部は、前記各光源からの光の合成光が、前記目標色度値に対する前記色度値許容誤差の範囲内の色度値になっているか否か、および前記目標測光量に対する前記測光量許容誤差の範囲内の測光量になっているか否かをそれぞれ判定する第２判定処理を実行すると共に、当該合成光が、当該目標色度値に対する当該色度値許容誤差の範囲内の色度値で、かつ当該目標測光量に対する当該測光量許容誤差の範囲内の測光量になっていると判定したときに、当該各光源からの光の出射量の調整が完了したことを特定可能に報知する第２報知処理を実行する。
【００１５】
さらに、請求項５記載の調整作業補助装置は、請求項４記載の調整作業補助装置において、前記処理部は、前記第１判定処理において前記目標調整値範囲内の前記調整値に対応する出射量となっていると判定し、かつ前記第２判定処理において前記目標色度値に対する前記色度値許容誤差の範囲内の色度値になっていないと判定する第１条件、および前記第１判定処理において前記目標調整値範囲内の前記調整値に対応する出射量となっていると判定し、かつ前記第２判定処理において前記目標測光量に対する前記測光量許容誤差の範囲内の測光量になっていないと判定する第２条件の少なくとも一方の条件が満たされたときに、直前に特定した前記目標調整値範囲よりも狭い当該目標調整値範囲を特定し、特定した新たな当該目標調整値範囲を新たな前記調整用情報として前記第１判定処理および前記第２判定処理を再び実行する。
【００１６】
請求項６記載の調整作業補助装置は、請求項１または２記載の調整用情報生成装置を備えた調整作業補助装置であって、前記処理部は、前記各光源からの光の出射量が、前記調整用情報に基づいて特定される前記目標調整値範囲の中心値に対応する出射量を超えて変化させられて当該目標調整値範囲内の調整値に対応する出射量になっているかを判定する第３判定処理、および当該第３判定処理の結果を特定可能に報知する第３報知処理を実行する。
【００１７】
請求項７記載の調整装置は、請求項１または２記載の調整用情報生成装置を備え、前記任意の色および前記任意の明るさが認識されるように前記各光源からの光の出射量をそれぞれ調整可能に構成された調整装置であって、前記処理部は、前記各光源からの光の出射量が前記調整用情報に基づいて特定される前記目標調整値範囲内の調整値に対応する出射量になっているかを判定する判定処理を実行し、当該各光源からの光の出射量が当該目標調整値範囲内の調整値に対応する出射量になっていないときに、前記各光源からの光の出射量を予め規定された変更量だけ変更する出射量調整処理を実行した後に前記判定処理を再び実行する。
【００１８】
請求項８記載の調整装置は、請求項７記載の調整装置において、前記処理部は、前記出射量調整処理の後に実行する前記判定処理において、前記各光源からの光の出射量が、前記目標調整値範囲を外れた調整値に対応する出射量に変更されたと判定したときに、次に実行する前記出射量調整処理時に前記各光源からの光の出射量を変更する前記変更量を、直前に実行した前記出射量調整処理時に前記各光源からの光の出射量を変更した前記変更量よりも予め規定された量だけ少なく規定する。
【発明の効果】
【００１９】
請求項１記載の調整用情報生成装置では、各光源から出力される光毎の三刺激値をそれぞれ測定する測定処理と、目標色度値、目標測光量、および測定した各三刺激値に基づき、各光源から出力されるべき光毎に、目標色度値および目標測光量に対応する目標三刺激値を特定可能な目標調整値をそれぞれ演算する調整値特定処理と、目標色度値、目標測光量、色度値許容誤差、測光量許容誤差、および各目標調整値に基づき、各光源から出力されるべき光毎に、目標色度値に対する色度値許容誤差の範囲内の色度値で、かつ目標測光量に対する測光量許容誤差の範囲内の測光量となる目標三刺激値範囲を特定可能な目標調整値範囲をそれぞれ演算する調整範囲特定処理とを実行し、調整範囲特定処理によって演算した各目標調整値範囲に基づいて調整用情報を生成する。
【００２０】
また、請求項２記載の調整用情報生成装置では、各光源から出力される光毎の三刺激値をそれぞれ測定する測定処理と、目標色度値、目標測光量、および測定した各三刺激値に基づき、各光源から出力されるべき光毎に、目標色度値および目標測光量に対応する目標三刺激値を特定可能な目標調整値をそれぞれ演算する調整値特定処理と、調整値変更範囲内で目標調整値を変更した仮想調整値に対応する予測色度値および予測測光量を演算する処理を、目標調整値を無作為に変更して複数回実行した後に、目標色度値に対する色度値許容誤差の範囲内の予測色度値が演算され、かつ目標測光量に対する測光量許容誤差の範囲内の予測測光量が演算された各仮想調整値のなかで最も低い値を下限値とすると共に最も高い値を上限値とする目標調整値範囲を特定する調整範囲特定処理とを実行し、調整範囲特定処理によって特定した各目標調整値範囲に基づいて調整用情報を生成する。
【００２１】
したがって、請求項１，２記載の調整用情報生成装置によれば、調整用情報に基づいて特定される３つの光（各光源からの光）毎の目標調整値範囲に基づき、少なくとも、各光源からの光の出射量がそれぞれの目標調整値範囲内の調整値に対応する出射量となっていない状態においては、目標色度値および目標測光量が測定される状態になっていない（調整が完了していない）と判断することができるため、例えば、その時点において測定される色度値および測光量と、目標色度値および目標測光量とに基づいて、各光の出射量の調整の要否や調整量を推定する必要がある従来の調整方法とは異なり、各光のうちのいずれの出射量を変更すべきか、および各光のうちのいずれの出射量を増加させていずれの出射量を減少させるべきかを確実かつ容易に認識することができる。これにより、この種の調整作業に不慣れな作業者であっても、調整作業を短時間で容易に実行することができる。
【００２２】
請求項３記載の調整作業補助装置によれば、各光源からの光の出射量が、調整用情報に基づいて特定される目標調整値範囲内の調整値に対応する出射量になっているかを判定する第１判定処理を実行すると共に、第１判定処理の結果を特定可能に報知する第１報知処理を実行することにより、調整作業中の光源からの光の出射量が目標調整値範囲内の調整値に対応する出射量になったか否かを容易に認識することができるため、この種の調整作業に不慣れな作業者であっても、調整作業を一層容易に実行することができる。
【００２３】
請求項４記載の調整作業補助装置によれば、各光源からの光の合成光が、目標色度値に対する色度値許容誤差の範囲内の色度値で、かつ目標測光量に対する測光量許容誤差の範囲内の測光量になっていると判定したときに、各光源からの光の出射量の調整が完了したことを特定可能に報知する第２報知処理を実行することにより、例えば、各光源からの光毎の調整作業中に、いずれかの光の出射量が目標調整値範囲内の調整値に対応する出射量とはなっていなくても、合成光の色度値が目標色度値に対する色度値許容誤差の範囲内の値で、測光量が目標測光量に対する測光量許容誤差の範囲内の値となったとき、すなわち、それ以上の調整作業が不要な状態となったときに、不要な調整作業を継続させることなく、調整作業を速やかに終了させることができる。
【００２４】
請求項５記載の調整作業補助装置では、第１判定処理において目標調整値範囲内の調整値に対応する出射量となっていると判定し、かつ第２判定処理において目標色度値に対する色度値許容誤差の範囲内の色度値になっていないと判定する第１条件、および第１判定処理において目標調整値範囲内の調整値に対応する出射量となっていると判定し、かつ第２判定処理において目標測光量に対する測光量許容誤差の範囲内の測光量になっていないと判定する第２条件の少なくとも一方の条件が満たされたときに、直前に特定した目標調整値範囲よりも狭い目標調整値範囲を特定し、特定した新たな目標調整値範囲を新たな調整用情報として第１判定処理および第２判定処理を再び実行する。
【００２５】
したがって、請求項５記載の調整作業補助装置によれば、例えば、各光源からの光の出射量が目標調整値範囲の下限値や上限値付近の調整値に対応する出射量に調整されることで合成光の色度値および／または測光量が目標範囲内の値になっていない状態（第１条件および第２条件の少なくとも一方が満たされた状態）となってしまっても、自動的に新たに特定される目標調整値範囲内の調整値となるような調整作業を実施することで、合成光の色度値および測光量の双方が目標範囲内の値となるように確実に調整することができる。
【００２６】
請求項６記載の調整作業補助装置によれば、各光源からの光の出射量が、調整用情報に基づいて特定される目標調整値範囲の中心値に対応する出射量を超えて変化させられて目標調整値範囲内の調整値に対応する出射量になっているかを判定する第３判定処理、および第３判定処理の結果を特定可能に報知する第３報知処理を実行することにより、光源からの光の出射量が目標調整値範囲内の調整値に対応する出射量ではないと認識した作業者が調整作業に際して出射量を少しずつ変化させるときに、特定される出射量が目標調整値範囲の中心値に対応する値を超えたと報知されるまで調整作業が継続されることとなるため、出射量が目標調整値範囲内の調整値に対応する値となった時点、すなわち、目標調整値範囲の上限値や下限値に近い調整値に対応する出射量となった時点で調整作業が終了されてしまう事態を回避して、目標調整値範囲の中心値に近い調整値に対応する出射量が特定される状態となるまで好適に調整させることができる。
【００２７】
請求項７記載の調整装置では、任意の色および任意の明るさが認識されるように各光源からの光の出射量をそれぞれ調整可能に構成され、各光源からの光の出射量が調整用情報に基づいて特定される目標調整値範囲内の調整値に対応する出射量になっているかを判定する判定処理を実行し、各光源からの光の出射量が目標調整値範囲内の調整値に対応する出射量になっていないときに、各光源からの光の出射量を予め規定された変更量だけ変更する出射量調整処理を実行した後に判定処理を再び実行する。
【００２８】
したがって、請求項７記載の調整装置によれば、作業者が目標調整値範囲を規定したり、規定した目標調整値範囲内の調整値に対応する出射量となるように調整作業を行ったりすることなく、目標調整値範囲を規定する処理から、光源からの光の出射量が目標調整値範囲内の調整値に対応する出射量となるような調整処理までの一連の処理を自動的に実行させることができるため、この種の装置（作業）に不慣れな者であっても、任意の色および任意の明るさが認識されるように各光源からの光の出射量を確実かつ容易に調整させることができる。
【００２９】
請求項８記載の調整装置では、出射量調整処理の後に実行する判定処理において、各光源からの光の出射量が、目標調整値範囲を外れた調整値に対応する出射量に変更されたと判定したときに、次に実行する出射量調整処理時に各光源からの光の出射量を変更する変更量を、直前に実行した出射量調整処理時に各光源からの光の出射量を変更した変更量よりも予め規定された量だけ少なく規定する。
【００３０】
したがって、請求項８記載の調整装置によれば、規定した変更量分の出射量の変更を行ったときに、光源からの光の出射量が想定しているよりも大きく変化するような状態であっても、２回目以降の出射量調整処理における出射量の変化量が徐々に小さくなるため、少数回の出射量調整処理によって各光源からの光の出射量を目標調整値範囲内の調整値に対応する出射量に調整することができる。
【図面の簡単な説明】
【００３１】
【図１】光量測定装置１の構成図である。
【図２】調整作業補助処理２０のフローチャートである。
【図３】調整状態報知用表示４０の表示状態の一例について説明するための説明図である。
【図４】調整状態報知用表示４０の表示状態の他の一例について説明するための説明図である。
【発明を実施するための形態】
【００３２】
以下、調整用情報生成装置、調整作業補助装置および調整装置の実施の形態について、添付図面を参照して説明する。
【００３３】
図１に示す光量測定装置１は、「調整用情報生成装置」を備えて構成された「調整作業補助装置」および「調整装置」の一例であって、赤色レーザ（「赤色光源」の一例）からの赤色レーザ光Ｌｒの出射量、緑色レーザ（「緑色光源」の一例）からの緑色レーザ光Ｌｇの出射量、および青色レーザ（「青色光源」の一例）からの青色レーザ光Ｌｂの出射量を変化させることにより、赤色レーザ光Ｌｒ、緑色レーザ光Ｌｇおよび青色レーザ光Ｌｂの合成光Ｌｒｇｂによって観者に認識させる色および明るさを任意に変化させるレーザプロジェクタ（「光出力装置」の一例：図示せず）を「調整対象」とするホワイトバランスの調整作業（「任意の色および任意の明るさが認識されるように各光源からの光の出射量をそれぞれ調整する」との作業の一例）の補助や、自動調整処理を実行可能に構成されている。
【００３４】
具体的には、光量測定装置１は、受光部２Ｒ，２Ｇ，２Ｂ、信号変換部３Ｒ，３Ｇ，３Ｂ、操作部４、表示部５、処理部６および記憶部７を備えて構成されている。なお、本例の光量測定装置１は、実際には、各受光部２Ｒ，２Ｇ，２Ｂに対する光の入射方向や入射量を規制するための光拡散部やアパーチャなどを備えているが、これらの構成および機能については公知のため、図示および詳細な説明を省略する。
【００３５】
受光部２Ｒ，２Ｇ，２Ｂ（以下、区別しないときには「受光部２」ともいう）は、受光センサ１０ａ，１０ｂおよび光学フィルタ１１をそれぞれ備えて構成されている。また、受光センサ１０ａは、光学フィルタ１２ａおよび光電変換部１３ａを備えて構成され、受光センサ１０ｂは、光学フィルタ１２ｂおよび光電変換部１３ｂを備えて構成されている。この場合、本例の光量測定装置１では、受光部２Ｒの光学フィルタ１１が、赤色レーザ光Ｌｒの重心波長を中心として予め規定された「測定対象波長範囲（赤色光波長領域）」内の波長の光の受光センサ１０ａ，１０ｂに対する入射を許容しつつ、「測定対象波長範囲」よりも短い波長の光や「測定対象波長範囲」よりも長い波長の光の受光センサ１０ａ，１０ｂに対する入射を規制するように構成されている。
【００３６】
また、本例の光量測定装置１では、受光部２Ｇの光学フィルタ１１が、緑色レーザ光Ｌｇの重心波長を中心として予め規定された「測定対象波長範囲（緑色光波長領域）」内の波長の光の受光センサ１０ａ，１０ｂに対する入射を許容しつつ、「測定対象波長範囲」よりも短い波長の光や「測定対象波長範囲」よりも長い波長の光の受光センサ１０ａ，１０ｂに対する入射を規制するように構成されている。さらに、本例の光量測定装置１では、受光部２Ｂの光学フィルタ１１が、青色レーザ光Ｌｂの重心波長を中心として予め規定された「測定対象波長範囲（青色光波長領域）」内の波長の光の受光センサ１０ａ，１０ｂに対する入射を許容しつつ、「測定対象波長範囲」よりも短い波長の光や「測定対象波長範囲」よりも長い波長の光の受光センサ１０ａ，１０ｂに対する入射を規制するように構成されている。
【００３７】
また、本例の光量測定装置１では、受光センサ１０ａの分光感度と受光センサ１０ｂの分光感度との比が、各受光部２毎に規定された上記の「測定対象波長範囲」内の各波長の光毎に相違するように両光学フィルタ１２ａ，１２ｂの光学特性（光透過特性）がそれぞれ規定されている。具体的には、一例として、光電変換部１３ａの受光面側に配設されている光学フィルタ１２ａは、受光センサ１０ａの分光感度特性が長い波長の光ほど感度が高い特性となるように光電変換部１３ａに対する光の入射量を制限（規制）する光学特性が付与されている。また、光電変換部１３ｂの受光面側に配設されている光学フィルタ１２ｂは、受光センサ１０ｂの分光感度特性が短い波長の光ほど感度が高い特性となるように光電変換部１３ｂに対する光の入射量を制限（規制）する光学特性が付与されている。
【００３８】
光電変換部１３ａは、光学フィルタ１１，１２ａを透過した光を受光可能に配設され、その受光量に応じた検出信号Ｓａ（受光量に応じた電流信号）を出力する。また、光電変換部１３ｂは、光学フィルタ１１，１２ｂを透過した光を受光可能に配設され、その受光量に応じた検出信号Ｓｂ（受光量に応じた電流信号）を出力する。なお、本例の光量測定装置１では、一例として、同じ製品で構成された光電変換部１３ａ，１３ｂ（各波長の光についての感度が互いに等しい「光電変換部」）が採用されて両受光センサ１０ａ，１０ｂがそれぞれ構成されている。
【００３９】
信号変換部３Ｒ，３Ｇ，３Ｂ（以下、区別しないときには「信号変換部３」ともいう）は、光電変換部１３ａ，１３ｂ（受光センサ１０ａ，１０ｂ）から出力される検出信号Ｓａ，ＳｂをＩ／Ｖ変換するＩ／Ｖ変換部と、Ｉ／Ｖ変換部から出力される検出信号（電圧信号）をＡ／Ｄ変換処理して検出信号データＤａ，Ｄｂを生成するＡ／Ｄ変換部とをそれぞれ備えている。
【００４０】
操作部４は、後述する各種処理の条件の設定操作や、処理の開始／停止を指示する各種の操作スイッチを備え、スイッチ操作に応じた操作信号を処理部６に出力する。表示部５は、処理部６の制御に従い、後述する調整作業補助画面や調整結果報知画面（共に図示せず）などの各種の表示画面を表示する。
【００４１】
処理部６は、光量測定装置１を総括的に制御する。この処理部６は、各受光部２および各信号変換部３と相俟って「処理部」を構成し、後述するように、図２に示す調整作業補助処理２０を実行し、「調整用情報」に相当する調整値範囲データＤ０を生成すると共に、「調整対象」としてのレーザプロジェクタの調整状態を判定して作業者に対して報知する。また、本例の光量測定装置１では、一例として、図１に破線で示すように信号ケーブルを介してレーザプロジェクタと接続されている状態において、処理部６が、生成した調整値範囲データＤ０に応じてレーザプロジェクタのホワイトバランスを自動調整する「調整処理」を実行することができるように構成されている。
【００４２】
なお、調整作業補助処理２０や「調整処理」の具体的な内容については、後に詳細に説明する。記憶部７は、処理部６の動作プログラムや、処理部６によって生成された調整値範囲データＤ０などを記憶する。この場合、本例の光量測定装置１は、「調整用情報生成装置」、「調整作業補助装置」および「調整装置」としての用途だけではなく、各種の被測定光の「光量（「輝度」および「照度」などの「測光量」）」や「色度」を測定して測定値を表示する「測定装置」として使用することができるように構成されているが、「調整用情報生成装置」、「調整作業補助装置」および「調整装置」についての理解を容易とするために、通常の「測定装置」としての使用方法に関する説明を省略する。
【００４３】
次に、光量測定装置１を使用したホワイトバランス調整作業の一例について説明する。
【００４４】
まず、一例として、「調整対象」のレーザプロジェクタによって各種の映像を投影するスクリーンの位置に光量測定装置１を設置する。この際には、レーザプロジェクタ（各レーザ）からの赤色レーザ光Ｌｒ、緑色レーザ光Ｌｇおよび青色レーザ光Ｌｂ（以下、これらを区別しないときには「レーザ光Ｌ」ともいう）が各受光部２に対して照射されるように、各受光部２の受光面をレーザプロジェクタに向けて光量測定装置１を設置する。
【００４５】
次いで、レーザプロジェクタの電源を投入し、ホワイトバランス調整用の映像（一例として、投影領域の全域に亘って均一な白色の映像：以下、この映像を「調整用映像」ともいう）の投影を開始させる。なお、この調整用映像をスクリーンに投影する際にレーザプロジェクタから出射される合成光Ｌｒｇｂについてのスクリーンの位置において測定されるべき「色度値（目標色度値）」や「測光量（目標測光量）」が既知となっており、また、「色度値（目標色度値）」に対する「色度値許容誤差」や、「測光量（目標測光量）」に対する「測光量許容誤差」が予め規定されているものとする。
【００４６】
この際に、例えば、受光部２Ｒでは、光学フィルタ１１によって緑色レーザ光Ｌｇおよび青色レーザ光Ｌｂの入射が規制されて赤色レーザ光Ｌｒの入射が許容されている。このため、受光部２Ｒでは、赤色レーザからの赤色レーザ光Ｌｒの重心波長に応じて、光学フィルタ１２ａを透過する赤色レーザ光Ｌｒの光電変換部１３ａによる受光量に応じた電流値の検出信号Ｓａが光電変換部１３ａから出力され、かつ光学フィルタ１２ｂを透過する赤色レーザ光Ｌｒの光電変換部１３ｂによる受光量に応じた電流値の検出信号Ｓｂが光電変換部１３ｂから出力される状態となる。
【００４７】
また、受光部２Ｇでは、光学フィルタ１１によって赤色レーザ光Ｌｒおよび青色レーザ光Ｌｂの入射が規制されて緑色レーザ光Ｌｇの入射が許容されている。このため、受光部２Ｇでは、緑色レーザからの緑色レーザ光Ｌｇの重心波長に応じて、光学フィルタ１２ａを透過する緑色レーザ光Ｌｇの光電変換部１３ａによる受光量に応じた電流値の検出信号Ｓａが光電変換部１３ａから出力され、かつ光学フィルタ１２ｂを透過する緑色レーザ光Ｌｇの光電変換部１３ｂによる受光量に応じた電流値の検出信号Ｓｂが光電変換部１３ｂから出力される状態となる。
【００４８】
さらに、受光部２Ｂでは、光学フィルタ１１によって赤色レーザ光Ｌｒおよび緑色レーザ光Ｌｇの入射が規制されて青色レーザ光Ｌｂの入射が許容されている。このため、受光部２Ｂでは、青色レーザからの青色レーザ光Ｌｂの重心波長に応じて、光学フィルタ１２ａを透過する青色レーザ光Ｌｂの光電変換部１３ａによる受光量に応じた電流値の検出信号Ｓａが光電変換部１３ａから出力され、かつ光学フィルタ１２ｂを透過する青色レーザ光Ｌｂの光電変換部１３ｂによる受光量に応じた電流値の検出信号Ｓｂが光電変換部１３ｂから出力される状態となる。
【００４９】
この状態において、操作部４の操作によって処理の開始が指示されたときに、処理部６は、図２に示す調整作業補助処理２０を開始する。この調整作業補助処理２０では、処理部６は、まず、各レーザ（光源）から出力されているレーザ光Ｌの三刺激値：Ｘ，Ｙ，Ｚの特定を開始する（「測定処理」の一例：ステップ２１）。
【００５０】
具体的には、処理部６は、まず、受光部２Ｒの受光センサ１０ａ，１０ｂから出力されて信号変換部３Ｒによって変換された検出信号データＤａ，Ｄｂに基づき、受光部２Ｒに入射している赤色レーザ光Ｌｒの「重心波長：λｇｒ」を特定する。同様にして、受光部２Ｇの受光センサ１０ａ，１０ｂから出力されて信号変換部３Ｇによって変換された検出信号データＤａ，Ｄｂに基づき、受光部２Ｇに入射している緑色レーザ光Ｌｇの「重心波長：λｇｇ」を特定すると共に、受光部２Ｂの受光センサ１０ａ，１０ｂから出力されて信号変換部３Ｂによって変換された検出信号データＤａ，Ｄｂに基づき、受光部２Ｂに入射している青色レーザ光Ｌｂの「重心波長：λｇｂ」を特定する。
【００５１】
この際に、処理部６は、各受光部２毎の検出信号データＤａの値と検出信号データＤｂの値とのいずれか予め規定された一方に対する他方の比（一例として、検出信号データＤａの値に対する検出信号データＤｂの値の比：検出信号データＤｂの値／検出信号データＤａの値）を演算し、演算した比に基づいて、各受光部２の受光センサ１０ａ，１０ｂに入射したレーザ光Ｌの重心波長λｇを特定（演算）する。これにより、赤色レーザから出力される赤色レーザ光Ｌｒの「重心波長：λｇｒ」と、緑色レーザから出力される緑色レーザ光Ｌｇの「重心波長：λｇｇ」と、青色レーザから出力される青色レーザ光Ｌｂの「重心波長：λｇｂ」とがそれぞれ特定される。
【００５２】
次いで、処理部６は、各レーザ光Ｌの「レーザ出力値（光パワー）：Ｐ」をそれぞれ特定する。この際に、処理部６は、検出信号データＤａ，Ｄｂのいずれか一方（一例として、受光センサ１０ａ，１０ｂのうちの特定した「重心波長：λｇ」における感度が高い一方から出力された検出信号Ｓに対応する検出信号データＤ）と、特定した「重心波長：λｇ」とに基づいて「レーザ出力値：Ｐ」を演算する。これにより、赤色レーザから出力される赤色レーザ光Ｌｒの「レーザ出力値：Ｐｒ」と、緑色レーザから出力される緑色レーザ光Ｌｇの「レーザ出力値：Ｐｇ」と、青色レーザから出力される青色レーザ光Ｌｂの「レーザ出力値：Ｐｂ」とがそれぞれ特定される。
【００５３】
続いて、処理部６は、特定した「重心波長：λｇｒ，λｇｇ，λｇｂ」、「レーザ出力値：Ｐｒ，Ｐｇ，Ｐｂ」および「等色関数：ｘ（λ），ｙ（λ），ｚ（λ）」を用いて、下記の［数１］に示すように、赤色レーザからの赤色レーザ光Ｌｒの「三刺激値：Ｘｒ，Ｙｒ，Ｚｒ」と、緑色レーザからの緑色レーザ光Ｌｇの「三刺激値：Ｘｇ，Ｙｇ，Ｚｇ」と、青色レーザからの青色レーザ光Ｌｂの「三刺激値：Ｘｂ，Ｙｂ，Ｚｂ」とをそれぞれ演算する。
【００５４】
【数１】
2020127203.tif 000003
【００５５】
なお、レーザプロジェクタから出力されるレーザ光Ｌｒ，Ｌｇ，Ｌｂ（合成光Ｌｒｇｂ）の「三刺激値：Ｘｒｇｂ，Ｙｒｇｂ，Ｚｒｇｂ」は、それぞれ［数２］に示すとおりとなる。
【００５６】
【数２】
2020127203.tif 000004
【００５７】
次いで、処理部６は、「目標色度値：ｘ’，ｙ’」および「目標測光量：Ｙ’」となる「レーザ出力値（目標レーザ出力値：Ｐ’ｒ，Ｐ’ｇ，Ｐ’ｂ：「目標調整値」の一例）」を特定する（「調整値特定処理」の一例：ステップ２２）。具体的には、処理部６は、指定されている「目標色度値：ｘ’，ｙ’」（「任意の色に対応する目標色度値」の一例）、および「目標測光量：Ｙ’」（「任意の明るさに対応する目標測光量」の一例）に基づき、調整用映像を表示させた状態においてレーザプロジェクタ（赤色レーザ、緑色レーザおよび青色レーザ）から出力されるべきレーザ光Ｌｒ，Ｌｇ，Ｌｂ（合成光Ｌｒｇｂ）の「目標三刺激値：Ｘ’ｒｇｂ，Ｙ’ｒｇｂ，Ｚ’ｒｇｂ」を［数３］に示すように演算する。
【００５８】
【数３】
2020127203.tif 000005
【００５９】
この場合、「赤色レーザ光Ｌｒ用の補正係数：ｋ」、「緑色レーザ光Ｌｇ用の補正係数：ｌ」および「青色レーザ光Ｌｂ用の補正係数：ｍ」とすると、上記の各測定値（三刺激値：Ｘｒｇｂ，Ｙｒｇｂ，Ｚｒｇｂ：「測定処理によって測定した各三刺激値」の一例）、および演算した「目標三刺激値：Ｘ’ｒｇｂ，Ｙ’ｒｇｂ，Ｚ’ｒｇｂ」の関係は［数４］に示すとおりとなる。
【００６０】
【数４】
2020127203.tif 000006
【００６１】
したがって、一例として、［数５］に示すように、上記の「補正係数：ｋ，ｌ，ｍ」を演算する。
【００６２】
【数５】
2020127203.tif 000007
【００６３】
続いて、上記の各測定値および演算結果に基づき、調整後のレーザプロジェクタから出力されるべき光の「目標レーザ出力値Ｐ’ｒ，Ｐ’ｇ，Ｐ’ｂ」を［数６］に示すように演算する。
【００６４】
【数６】
2020127203.tif 000008
【００６５】
次いで、処理部６は、上記のステップ２１の測定結果、およびステップ２２の演算結果に基づき、「調整完了判定範囲（「目標三刺激値範囲を特定可能な目標調整値範囲」の一例）」を特定し（「調整範囲特定処理」の一例）、特定結果に基づいて調整値範囲データＤ０を生成する（ステップ２３）。
【００６６】
具体的には、処理部６は、まず、指定されている「目標色度値：ｘ’，ｙ’」、およびその「許容誤差：△ｘ’，△ｙ’」と、指定されている「目標測光量：Ｙ’」、およびその「許容誤差：△Ｙ’」とに基づき、「目標色度値範囲内の任意の色度（一例として、「下限値：ｘmin，ｙmin」）」、および「目標測光量範囲内の任意の光量（一例として、「下限値：Ｙmin」 ）」に対応する「補正係数：ｋ’，ｌ’，ｍ’」をそれぞれ演算する。なお、「補正係数：ｋ’，ｌ’，ｍ’」の演算方法は、前述した「補正係数ｋ，ｌ，ｍ」の演算方法と同様のため、説明を省略する。
【００６７】
次いで、［数７］に示すように、「許容誤差：△ｘ’，△ｙ’，△Ｙ’」から、（ｘ’−△ｘ’，ｙ’−△ｙ’，Ｙ’−△Ｙ’）周りのテイラー展開によって「補正係数の許容誤差：△ｋ，△ｌ，△ｍ」を演算する。
【００６８】
【数７】
2020127203.tif 000009
【００６９】
なお、「補正係数の許容誤差：△ｋ，△ｌ，△ｍ」を求める際の上記の演算は、１次元のテイラー展開に限定されず、必要に応じて微分項の次数を多くする（「ｎ次元（ｎは、２以上の自然数）のテイラー展開」とする）ことができる。
【００７０】
続いて、演算した「補正係数の許容誤差：△ｋ，△ｌ，△ｍ」に応じて、各レーザ光Ｌ毎の「調整完了判定範囲」を特定する。
【００７１】
この際に、赤色レーザから出力される赤色レーザ光Ｌｒの「レーザ出力値：Ｐｒ」の「調整完了判定範囲（「目標三刺激値範囲を特定可能な目標調整値範囲」の１つ）」は、演算される「△ｋ」が負の値のときには、
「（ｋ’＋△ｋ）Ｐｒ≦Ｐｒ≦ｋ’Ｐｒ」
となり、演算される「△ｋ」が正の値のときには、
「ｋ’Ｐｒ≦Ｐｒ≦（ｋ’＋△ｋ）Ｐｒ」
となる。
【００７２】
また、緑色レーザから出力される緑色レーザ光Ｌｇの「レーザ出力値：Ｐｇ」の「調整完了判定範囲（「目標三刺激値範囲を特定可能な目標調整値範囲」の他の１つ）」は、演算される「△ｌ」が負の値のときには、
「（ｌ’＋△ｌ）Ｐｇ≦Ｐｇ≦ｌ’Ｐｇ」
となり、演算される「△ｌ」が正の値のときには、
「ｌ’Ｐｇ≦Ｐｇ≦（ｌ’＋△ｌ）Ｐｇ」
となる。
【００７３】
さらに、青色レーザから出力される青色レーザ光Ｌｂの「レーザ出力値：Ｐｂ」の「調整完了判定範囲（「目標三刺激値範囲を特定可能な目標調整値範囲」のさらに他の１つ）」は、演算される「△ｍ」が負の値のときには、
「（ｍ’＋△ｍ）Ｐｂ≦Ｐｂ≦ｍ’Ｐｂ」
となり、演算される「△ｍ」が正の値のときには、
「ｍ’Ｐｂ≦Ｐｂ≦（ｍ’＋△ｍ）Ｐｂ」
となる。
【００７４】
次いで、処理部６は、特定した各「調整完了判定範囲」に基づき、調整値範囲データＤ０を生成して記憶部７に記憶させる。以上により、「調整用情報」の生成が完了し、調整作業を補助する準備が整う。
【００７５】
一方、処理部６は、上記の調整値範囲データＤ０の生成が完了したときに、上記のステップ２２で演算した「目標レーザ出力値：Ｐ’ｒ，Ｐ’ｇ，Ｐ’ｂ」の値と共に、一例として「調整作業を開始して下さい」とのメッセージを表示部５に表示させる。これに応じて、作業者は、レーザプロジェクタ（赤色レーザ、緑色レーザおよび青色レーザ）からの各レーザ光Ｌの出射量を調整する作業を開始する。
【００７６】
また、処理部６は、「レーザ出力値：Ｐｒ，Ｐｇ，Ｐｂ（各赤色レーザ、緑色レーザおよび青色レーザからのレーザ光Ｌの出射量）」が調整値範囲データＤ０に基づいて特定される「目標調整値範囲」内の値となっているか否かの判定（「第１判定処理」の一例）と、各レーザ光Ｌの合成光Ｌｒｇｂの「色度値：ｘ，ｙ」が「目標色度値：ｘ’，ｙ’」に対する「許容誤差：△ｘ’，△ｙ’」の範囲内の値となっているか否か、および各レーザ光Ｌの合成光Ｌｒｇｂの「測光量：Ｙ」が「目標測光量：Ｙ’」に対する「許容誤差：△Ｙ’」の範囲内となっているか否かの判定（「第２判定処理」の一例）とを実行し、判定結果を作業者に対して報知する。
【００７７】
具体的には、処理部６は、まず、各信号変換部３から出力されている検出信号データＤａ，Ｄｂに基づき、「レーザ出力値：Ｐｒ，Ｐｇ，Ｐｂ」、「色度値：ｘ，ｙ」および「測光量：Ｙ」をそれぞれ特定し（ステップ２４）、特定した各値を表示部５に表示させる。
【００７８】
次いで、処理部６は、「レーザ出力値：Ｐｒ」が、調整値範囲データＤ０に基づいて特定される「調整完了判定範囲（「（ｋ’＋△ｋ）Ｐｒ≦Ｐｒ≦ｋ’Ｐｒ」および「ｋ’Ｐｒ≦Ｐｒ≦（ｋ’＋△ｋ）Ｐｒ」のいずれか）」内の値となったか否か、「レーザ出力値：Ｐｇ」が、調整値範囲データＤ０に基づいて特定される「調整完了判定範囲（「（ｌ’＋△ｌ）Ｐｇ≦Ｐｇ≦ｌ’Ｐｇ」および「ｌ’Ｐｇ≦Ｐｇ≦（ｌ’＋△ｌ）Ｐｇ」のいずれか）」内の値となったか否か、および「レーザ出力値：Ｐｂ」が、調整値範囲データＤ０に基づいて特定される「調整完了判定範囲（「（ｍ’＋△ｍ）Ｐｂ≦Ｐｂ≦ｍ’Ｐｂ」および「ｍ’Ｐｂ≦Ｐｂ≦（ｍ’＋△ｍＰｂ」のいずれか）」内の値となったか否かをそれぞれ判定する（ステップ２５）。
【００７９】
この場合、本例の光量測定装置１では、一例として、「レーザ出力値：Ｐｒ，Ｐｇ，Ｐｂ」が「調整完了判定範囲」を外れていると判定されたときに、その値が白色の背景に重ねて数値で表示される。したがって、作業者は、既に表示されている「目標レーザ出力値：Ｐ’ｒ，Ｐ’ｇ，Ｐ’ｂ」と、ステップ２４において特定されることで表示される「レーザ出力値：Ｐｒ，Ｐｇ，Ｐｂ」とを参照することにより、赤色レーザからの赤色レーザ光Ｌｒの出射量、緑色レーザからの緑色レーザ光Ｌｇの出射量、および青色レーザからの青色レーザ光Ｌｂの出射量をそれぞれ調整する。
【００８０】
具体的には、「レーザ出力値：Ｐｒ」が「目標レーザ出力値：Ｐ’ｒ」よりも小さいときには、赤色レーザからの赤色レーザ光Ｌｒの出射量を増加させる調整作業を行い、「レーザ出力値：Ｐｒ」が「目標レーザ出力値：Ｐ’ｒ」よりも大きいときには、赤色レーザ光Ｌｒの出射量を減少させる調整作業を行う。また、「レーザ出力値：Ｐｇ」が「目標レーザ出力値：Ｐ’ｇ」よりも小さいときには、緑色レーザからの緑色レーザ光Ｌｇの出射量を増加させる調整作業を行い、「レーザ出力値：Ｐｇ」が「目標レーザ出力値：Ｐ’ｇ」よりも大きいときには、緑色レーザ光Ｌｇの出射量を減少させる調整作業を行う。さらに、「レーザ出力値：Ｐｂ」が「目標レーザ出力値：Ｐ’ｂ」よりも小さいときには、青色レーザからの青色レーザ光Ｌｂの出射量を増加させる調整作業を行い、「レーザ出力値：Ｐｂ」が「目標レーザ出力値：Ｐ’ｂ」よりも大きいときには、青色レーザ光Ｌｂの出射量を減少させる調整作業を行う。
【００８１】
一方、上記のステップ２５において「レーザ出力値：Ｐｒ，Ｐｇ，Ｐｂ」が「調整完了判定範囲」内の値になっていないと判定したときに、処理部６は、ステップ２４において特定した合成光Ｌｒｇｂの「色度値：ｘ，ｙ」が「目標色度値：ｘ’，ｙ’」に対する「許容誤差：△ｘ’，△ｙ’」の範囲内の値になっているか否か、および合成光Ｌｒｇｂの「測光量：Ｙ」が「目標測光量：Ｙ’」に対する「許容誤差：△Ｙ’」の範囲内の値になっているか否かをそれぞれ判定する（ステップ２６）。この際には、調整作業の開始直後であるため、処理部６は、「目標色度値：ｘ’，ｙ’」に対する「許容誤差：△ｘ’，△ｙ’」の範囲外の「色度値：ｘ，ｙ」、および「目標測光量：Ｙ’」に対する「許容誤差：△Ｙ’」の範囲外の「測光量：Ｙ」が特定されたと判定し、さらに、いずれのレーザについての調整も完了していないと判別した後に（ステップ２７）、上記のステップ２４に戻る。
【００８２】
また、本例の光量測定装置１では、作業者による調整作業によって「レーザ出力値：Ｐｒ，Ｐｇ，Ｐｂ」のいずれかが「調整完了判定範囲」内の値となり（「各光源からの光の出射量が、目標色度値に対する色度値許容誤差の範囲内の色度値に対応し、かつ目標測光量に対する測光量許容誤差の範囲内の測光量に対応する出射量になっている」との状態の一例）、ステップ２５において「レーザ出力値：Ｐｒ，Ｐｇ，Ｐｂ」のいずれかが「調整完了判定範囲」内の値になったと判定されたときに、その値の背景色が白色以外の背景色に変更される。
【００８３】
具体的には、例えば、赤色レーザ光Ｌｒの出射量の調整が行われて「レーザ出力値：Ｐｒ」が「調整完了判定範囲」内の値となったときには（ステップ２５）、背景色が白色から赤色に変更された状態で「レーザ出力値：Ｐｒ」が数値で表示される（「調整完了判定範囲内の値となった旨を報知する第１報知処理」の一例：ステップ２８）。また、緑色レーザ光Ｌｇの出射量の調整が行われて「レーザ出力値：Ｐｇ」が「調整完了判定範囲」内の値となったときには（ステップ２５）、背景色が白色から緑色に変更された状態で「レーザ出力値：Ｐｇ」が数値で表示される（「調整完了判定範囲内の値となった旨の報知」の他の一例：ステップ２８）。さらに、青色レーザ光Ｌｂの出射量の調整が行われて「レーザ出力値：Ｐｂ」が「調整完了判定範囲」内の値となったときには（ステップ２５）、背景色が白色から青色に変更された状態で「レーザ出力値：Ｐｂ」が数値で表示される（「調整完了判定範囲内の値となった旨の報知」のさらに他の一例：ステップ２８）。
【００８４】
したがって、作業者は、表示部５に表示されている「目標レーザ出力値：Ｐ’ｒ，Ｐ’ｇ，Ｐ’ｂ」と「レーザ出力値：Ｐｒ，Ｐｇ，Ｐｂ」との大小関係に応じて対応するレーザ光Ｌの出射量を増加させるか減少させるかを判断するだけでよく、各レーザ光Ｌの出射量をどの程度変更すればよいかが判らない状態であっても、赤色レーザ光Ｌｒの調整時には、表示部５に表示されている「レーザ出力値：Ｐｒ」の背景色が赤色になるまでその値を変更し、緑色レーザ光Ｌｇの調整時には、表示部５に表示されている「レーザ出力値：Ｐｇ」の背景色が緑色になるまでその値を変更し、青色レーザ光Ｌｂの調整時には、表示部５に表示されている「レーザ出力値：Ｐｂ」の背景色が青色になるまでその値を変更するだけで、「レーザ出力値：Ｐｒ，Ｐｇ，Ｐｂ」を「調整完了判定範囲」内の値に調整することが可能となる。
【００８５】
なお、ステップ２５において「レーザ出力値：Ｐｒ，Ｐｇ，Ｐｂ」のいずれかが「調整完了判定範囲」内の値になったと判定したときに、表示部５に表示されている「レーザ出力値：Ｐｒ，Ｐｇ，Ｐｂ」の背景色を白色以外の背景色に変更することで「調整完了判定範囲内の値となった」と報知する上記の構成・方法に代えて（または、そのような構成・方法に加えて）、一例として、図３に示す調整状態報知用表示４０を表示部５に表示させ、この調整状態報知用表示４０を参照させつつ各レーザ光Ｌの出射量を調整する作業を実行させる構成・方法を採用することができる。
【００８６】
この調整状態報知用表示４０は、赤色レーザ光Ｌｒの「レーザ出力値：Ｐｒ」の変更作業を補助するためのバー４１ｒ，４２ｒおよびカーソル４３ｒと、緑色レーザ光Ｌｇの「レーザ出力値：Ｐｇ」の変更作業を補助するためのバー４１ｇ，４２ｇおよびカーソル４３ｇと、青色レーザ光Ｌｂの「レーザ出力値：Ｐｂ」の変更作業を補助するためのバー４１ｂ，４２ｂおよびカーソル４３ｂとを備えている。
【００８７】
この場合、バー４１ｒ，４１ｇ，４１ｂ（以下、区別しないときには「バー４１」ともいう）は、赤色レーザ、緑色レーザおよび青色レーザの「レーザ出力値：Ｐｒ，Ｐｇ，Ｐｂ」の「調整可能範囲（レーザプロジェクタの仕様として各レーザ毎に調整を許容されている範囲）」を示す表示であって、一例として、その左端部が「調整可能範囲」内の出力値のうちの最小値に対応させられ、かつその右端部が「調整可能範囲」内の出力値のうちの最大値に対応させられている。
【００８８】
また、バー４２ｒ，４２ｇ，４２ｂ（以下、区別しないときには「バー４２」ともいう）は、上記のステップ２３において特定される「レーザ出力値：Ｐｒ，Ｐｇ，Ｐｂ」の「調整完了判定範囲」を示す表示であって、一例として、上記のバー４１に重ねて表示されることで、「調整可能範囲」に対する「調整完了判定範囲」の相対的な位置および大きさを示すように表示される。このバー４２は、その左端部が「調整完了判定範囲」内の出力値のうちの最小値に対応させられ、かつその右端部が「調整完了判定範囲」内の出力値のうちの最大値に対応させられると共に、一例として、「調整完了判定範囲」の中心値を示す縦線が左右方向の中心部に表示される。
【００８９】
さらに、カーソル４３ｒ，４３ｇ，４３ｂ（以下、区別しないときには「カーソル４３」ともいう）は、「調整可能範囲」および「調整完了判定範囲」に対する「レーザ出力値：Ｐｒ，Ｐｇ，Ｐｂ（ステップ２４において特定される値）」の相対的な位置を示す表示であって、一例として、上記のバー４１，４２の上に並んで表示される。
【００９０】
この場合、図３の例では、ステップ２４において特定された赤色レーザ光Ｌｒの「レーザ出力値：Ｐｒ」が、ステップ２３において特定された「調整完了判定範囲」よりも小さな値であり、ステップ２４において特定された緑色レーザ光Ｌｇの「レーザ出力値：Ｐｇ」が、ステップ２３において特定された「調整完了判定範囲」内の値であり、ステップ２４において特定された青色レーザ光Ｌｂの「レーザ出力値：Ｐｂ」が、ステップ２３において特定された「調整完了判定範囲」よりも大きな値であることが示されている。
【００９１】
したがって、この調整状態報知用表示４０を見た作業者は、バー４２ｒに対するカーソル４３ｒの位置に基づいて「レーザ出力値：Ｐｒ」が小さいと認識し、カーソル４３ｒがバー４２ｒと重なるまで赤色レーザ光Ｌｒの出射量を増加させる調整作業を行うと共に、バー４２ｂに対するカーソル４３ｂの位置に基づいて「レーザ出力値：Ｐｂ」が大きいと認識し、カーソル４３ｂがバー４２ｂと重なるまで赤色レーザ光Ｌｒの出射量を減少させる調整作業を行う。
【００９２】
この場合、例えば、上記の調整作業によって「レーザ出力値：Ｐｒ」が「調整完了判定範囲」内の出射量となり、カーソル４３ｒがバー４２ｒと重なるように表示される状態となれば、赤色レーザ光Ｌｒの調整作業が完了する。しかしながら、「調整完了判定範囲」を示すバー４２ｒが表示されている状態において、多くの作業者は、図４に示すように、カーソル４３ｒがバー４２ｒの中心部に位置するように調整作業を実施する。これにより、調整状態報知用表示４０を参照させつつ調整作業を実施させることにより、「レーザ出力値：Ｐｒ，Ｐｇ，Ｐｂ」のすべてが、それぞれの「調整完了判定範囲」の中心値、または中心値に近い値に調整される。なお、上記の調整状態報知用表示４０を表示させる構成・方法においては、カーソル４３をバー４２と重なる位置に表示させる処理が、「調整完了判定範囲内の値となった旨を報知する第１報知処理」に相当する。
【００９３】
一方、上記のステップ２５において「レーザ出力値：Ｐｒ，Ｐｇ，Ｐｂ」が「調整完了判定範囲」内の値となっていないと判別した後、または、「レーザ出力値：Ｐｒ，Ｐｇ，Ｐｂ」のいずれかが「調整完了判定範囲」内の値となったと判別して上記のステップ２８において「レーザ出力値：Ｐｒ，Ｐｇ，Ｐｂ」のいずれかが「調整完了判定範囲」内の値となった旨を報知した後に、処理部６は、ステップ２４において特定した合成光Ｌｒｇｂの「色度値：ｘ，ｙ」が「目標色度値：ｘ’，ｙ’」に対する「許容誤差：△ｘ’，△ｙ’」の範囲内の値になっているか否か、および合成光Ｌｒｇｂの「測光量：Ｙ」が「目標測光量：Ｙ’」に対する「許容誤差：△Ｙ’」の範囲内の値になっているか否かをそれぞれ判定する（ステップ２６）。
【００９４】
また、「色度値：ｘ，ｙ」が「目標色度値：ｘ’，ｙ’」に対する「許容誤差：△ｘ’，△ｙ’」の範囲内の値になっていない、および／または、合成光Ｌｒｇｂの「測光量：Ｙ」が「目標測光量：Ｙ’」に対する「許容誤差：△Ｙ’」の範囲内の値になっていないときに、処理部６は、すべてのレーザについての調整が完了したか否か（「レーザ出力値：Ｐｒ，Ｐｇ，Ｐｂ」のすべてがそれぞれ「調整完了判定範囲」内の値になったか）を判別する（ステップ２７）。この際に、いずれかのレーザについての調整が完了していない（「レーザ出力値：Ｐｒ，Ｐｇ，Ｐｂ」のいずれかが「調整完了判定範囲」内の値になっていない）ときに、処理部６は、ステップ２４に戻る。
【００９５】
この場合、「レーザ出力値：Ｐｒ，Ｐｇ，Ｐｂ」のうちのいずれかが「調整完了判定範囲」内の値になっていない状態、すなわち、いずれかのレーザについての調整が完了していない状態であっても、例えば、「調整完了判定範囲」内の値になっていない「レーザ出力値：Ｐ」が「調整完了判定範囲」に近い値のときには、合成光Ｌｒｇｂの「色度値：ｘ，ｙ」が「目標色度値：ｘ’，ｙ’」に対する「許容誤差：△ｘ’，△ｙ’」の範囲内の値で、かつ「測光量：Ｙ」が「目標測光量：Ｙ’」に対する「許容誤差：△Ｙ’」の範囲内の値になる（ホワイトバランス調整が完了した状態となる）ことがある。
【００９６】
したがって、処理部６は、「レーザ出力値：Ｐｒ，Ｐｇ，Ｐｂ」のうちのいずれかが「調整完了判定範囲」内の値になっていない状態であったとしても、ステップ２６において、合成光Ｌｒｇｂの「色度値：ｘ，ｙ」が「目標色度値：ｘ’，ｙ’」に対する「許容誤差：△ｘ’，△ｙ’」の範囲内で、かつ合成光Ｌｒｇｂの「測光量：Ｙ」が「目標測光量：Ｙ’」に対する「許容誤差：△Ｙ’」の範囲内となっていると判定したときに、一例として、表示部５に表示させている「色度値：ｘ，ｙ」および「測光量：Ｙ」の値に重ねて「ＰＡＳＳ」との文字列を表示部５に表示させることで、各レーザ光Ｌについての調整作業が完了したことを作業者に対して報知した後に（「第２報知処理」の一例：ステップ２９）、この調整作業補助処理２０を終了する。
【００９７】
一方、本例の光量測定装置１では、ステップ２５において「レーザ出力値：Ｐｒ，Ｐｇ，Ｐｂ」のすべてが「調整完了判定範囲」内の値になっていると判定したにも拘わらず、ステップ２６において合成光Ｌｒｇｂの「色度値：ｘ，ｙ」が「目標色度値：ｘ’，ｙ’」に対する「許容誤差：△ｘ’，△ｙ’」の範囲内ではないと判定したとき（「第１条件」が満たされた状態の一例）、および／または、ステップ２５において「レーザ出力値：Ｐｒ，Ｐｇ，Ｐｂ」のすべてが「調整完了判定範囲」内の値になっていると判定したにも拘わらず、ステップ２６において合成光Ｌｒｇｂの「測光量：Ｙ」が「目標測光量：Ｙ’」に対する「許容誤差：△Ｙ’」の範囲内ではないと判定したとき（「第２条件」が満たされた状態の一例）に、処理部６が、ステップ２７においてすべてのレーザについての調整が完了したと判定した後に、その時点において使用している調整値範囲データＤ０の「調整完了判定範囲」よりも狭い「調整完了判定範囲」を新たに規定して、作業者に対して各レーザ光Ｌの出射量を再調整させる。
【００９８】
具体的には、上記の「第１条件」および「第２条件」の少なくとも一方が満たされ、ステップ２７においてすべてのレーザについての調整が完了したと判定したときに、処理部６は、直前に実施したステップ２５において使用した「調整完了判定範囲」よりも狭い「調整完了判定範囲」を特定して調整値範囲データＤ０を生成する（ステップ３０）。具体的には、処理部６は、一例として、ステップ２５において使用した「調整完了判定範囲」、すなわち、前述したステップ２３において特定した「調整完了判定範囲」の下限値を５％から１０％の範囲内で大きな値に変更し、かつ上限値を５％から１０％の範囲内で小さな値に変更することにより、１０％から２０％（一例として、１５％）狭い新たな「調整完了判定範囲」を特定する。
【００９９】
この後、処理部６は、上記のステップ２４以降の各処理を再び実行する。これにより、新たに特定された十分に狭い「調整完了判定範囲」内の値となるように調整作業が行われる結果、ステップ２５において「レーザ出力値：Ｐｒ，Ｐｇ，Ｐｂ」のすべてが「調整完了判定範囲」内の値になっていると判定され、ステップ２６において、合成光Ｌｒｇｂの「色度値：ｘ，ｙ」が「目標色度値：ｘ’，ｙ’」に対する「許容誤差：△ｘ’，△ｙ’」の範囲内の値で、かつ「測光量：Ｙ」が「目標測光量：Ｙ’」に対する「許容誤差：△Ｙ’」の範囲内の値であると判定される状態となる。この際に、処理部６は、一例として「ＰＡＳＳ」との文字列を表示部５に表示させることで、各レーザ光Ｌについての調整作業が完了したことを作業者に対して報知した後（ステップ２９）に、この調整作業補助処理２０を終了する。
【０１００】
このように、この光量測定装置１では、各レーザ（光源）から出力されるレーザ光Ｌ毎の「三刺激値：Ｘ，Ｙ，Ｚ」をそれぞれ測定する「測定処理」と（ステップ２１）、「目標色度値：ｘ’，ｙ’」、「目標測光量：Ｙ’」、および測定した各「三刺激値：Ｘ，Ｙ，Ｚ」に基づき、各レーザから出力されるべきレーザ光Ｌ毎に、「目標色度値：ｘ’，ｙ’」および「目標測光量：Ｙ’」に対応する「目標三刺激値：Ｘ’ｒｇｂ，Ｙ’ｒｇｂ，Ｚ’ｒｇｂ」を特定可能な「目標調整値（本例では、「目標レーザ出力値Ｐ’ｒ，Ｐ’ｇ，Ｐ’ｂ」）」をそれぞれ演算する「調整値特定処理」と（ステップ２２）、「目標色度値：ｘ’，ｙ’」、「目標測光量：Ｙ’」、「許容誤差：△ｘ’，△ｙ’」、「許容誤差：△Ｙ’」および「目標レーザ出力値Ｐ’ｒ，Ｐ’ｇ，Ｐ’ｂ」に基づき、各レーザから出力されるべきレーザ光Ｌ毎に、「目標色度値：ｘ’，ｙ’」に対する「許容誤差：△ｘ’，△ｙ’」の範囲内の「色度値：ｘ，ｙ」で、かつ「目標測光量：Ｙ’」に対する「許容誤差：△Ｙ’」の範囲内の「測光量：Ｙ」となる「目標三刺激値範囲」を特定可能な「目標調整値範囲（本例では、「レーザ出力値：Ｐｒ」の目標範囲、「レーザ出力値：Ｐｇ」の目標範囲、および「レーザ出力値：Ｐｂ」の目標範囲）」をそれぞれ演算する「調整範囲特定処理」とを実行し（ステップ２３）、「調整範囲特定処理」によって演算した各「目標調整値範囲」に基づいて「調整用情報」に相当する調整値範囲データＤ０を生成する。
【０１０１】
したがって、この光量測定装置１によれば、調整値範囲データＤ０に基づいて特定される３つのレーザ光Ｌｒ，Ｌｇ，Ｌｂ毎の「目標調整値範囲」に基づき、少なくとも、各レーザ光Ｌの出射量がそれぞれの「目標調整値範囲」内の「調整値」に対応する出射量となっていない状態においては、「目標色度値：ｘ’，ｙ’」および「目標測光量：Ｙ’」が測定される状態になっていない（調整が完了していない）と判断することができるため、例えば、その時点において測定される「色度値：ｘ，ｙ」および「測光量：Ｙ」と、「目標色度値：ｘ’，ｙ’」および「目標測光量：Ｙ’」とに基づいて、３つのレーザ光Ｌｒ，Ｌｇ，Ｌｂの出射量の調整の要否や調整量を推定する必要がある従来の調整方法とは異なり、各レーザ光Ｌｒ，Ｌｇ，Ｌｂのうちのいずれの出射量を変更すべきか、および各レーザ光Ｌｒ，Ｌｇ，Ｌｂのうちのいずれの出射量を増加させていずれの出射量を減少させるべきかを確実かつ容易に認識することができる。これにより、この種の調整作業に不慣れな作業者であっても、調整作業を短時間で容易に実行することができる。
【０１０２】
また、この光量測定装置１によれば、各レーザからのレーザ光Ｌの出射量が、調整値範囲データＤ０に基づいて特定される「目標調整値範囲」内の「調整値」に対応する出射量になっているかを判定する「第１判定処理」を実行すると共に（ステップ２４，２５）、「第１判定処理」の結果を特定可能に報知する「第１報知処理」を実行することにより（ステップ２８）、調整作業中のレーザからのレーザ光Ｌの出射量が「目標調整値範囲」内の「調整値」に対応する出射量になったか否かを容易に認識することができるため、この種の調整作業に不慣れな作業者であっても、調整作業を一層容易に実行することができる。
【０１０３】
さらに、この光量測定装置１によれば、各レーザからのレーザ光Ｌの合成光が、「目標色度値：ｘ’，ｙ’」に対する「許容誤差：△ｘ’，△ｙ’」の範囲内の「色度値：ｘ，ｙ」で、かつ「目標測光量：Ｙ’」に対する「許容誤差：△Ｙ’」の範囲内の「測光量：Ｙ」になっていると判定したときに（ステップ２６）、各レーザからのレーザ光Ｌの出射量の調整が完了したことを特定可能に報知する「第２報知処理」を実行することにより（ステップ２９）、例えば、各レーザ光Ｌ毎の調整作業中に、いずれかのレーザ光Ｌの出射量が「目標調整値範囲」内の値とはなっていなくても、合成光Ｌｒｇｂの「色度値：ｘ，ｙ」が「目標色度値：ｘ’，ｙ’」に対する「許容誤差：△ｘ’，△ｙ’」の範囲内の値で、「測光量：Ｙ」が「目標測光量：Ｙ’」に対する「許容誤差：△Ｙ’」の範囲内の値となったとき、すなわち、それ以上の調整作業が不要な状態となったときに、不要な調整作業を継続させることなく、調整作業を速やかに終了させることができる。
【０１０４】
さらに、この光量測定装置１では、上記の「第１判定処理」において「目標調整値範囲」内の「調整値」に対応する出射量となっていると判定し、かつ「第２判定処理」において「目標色度値：ｘ’，ｙ’」に対する「許容誤差：△ｘ’，△ｙ’」の範囲内の「色度値：ｘ，ｙ」になっていないと判定する「第１条件」、および「第１判定処理」において「目標調整値範囲」内の「調整値」に対応する出射量となっていると判定し、かつ「第２判定処理」において「目標測光量：Ｙ’」に対する「許容誤差：△Ｙ’」の範囲内の「測光量：Ｙ」になっていないと判定する「第２条件」の少なくとも一方の条件が満たされたときに、直前に特定した「目標調整値範囲」よりも狭い「目標調整値範囲」を特定し（ステップ３０）、特定した新たな「目標調整値範囲」を新たな「調整用情報」として調整値範囲データＤ０を生成して「第１判定処理」および「第２判定処理」を再び実行する。
【０１０５】
したがって、この光量測定装置１によれば、例えば、各レーザ光Ｌｒ，Ｌｇ，Ｌｂの出射量が「目標調整値範囲」の「下限値」や「上限値」付近の「調整値」に対応する出射量に調整されることで各レーザ光Ｌｒ，Ｌｇ，Ｌｂの合成光Ｌｒｇｂの「色度値」および／または「測光量」が目標範囲内の値になっていない状態（「第１条件」および「第２条件」の少なくとも一方が満たされた状態）となってしまっても、自動的に新たに特定される「目標調整値範囲」内の「調整値」となるような調整作業を実施することで、合成光Ｌｒｇｂの「色度値」および「測光量」の双方が目標範囲内の値となるように確実に調整することができる。
【０１０６】
なお、「調整用情報生成装置」および「調整作業補助装置」の構成は、上記の光量測定装置１の構成の例に限定されない。例えば、「調整範囲特定処理」において、「目標調整値範囲」を演算処理によって特定する（算出する）構成を例に挙げて説明したが、「目標調整値範囲」を特定する手順はこれに限定されない。具体的には、一例として、上記の調整作業補助処理２０におけるステップ２３の「調整範囲特定処理」に代えて、ステップ２２において特定した「目標レーザ出力値Ｐ’ｒ，Ｐ’ｇ，Ｐ’ｂ」の値を、予め規定した範囲内で無作為に（ランダムに）変化させて、その「レーザ出力値：Ｐｒ，Ｐｇ，Ｐｂ」によって測定される「色度値：ｘ，ｙ」および「測光量：Ｙ」をシミュレーションし、そのシミュレーション結果に応じて、「目標調整値範囲」の「下限値」および「上限値」を特定する構成を採用することができる。
【０１０７】
より具体的には、「調整範囲特定処理」として、まず、「目標調整値」の一例である「目標レーザ出力値Ｐ’ｒ，Ｐ’ｇ，Ｐ’ｂ」の値を、予め規定された「調整値変更範囲（一例として、±数％の範囲）内で無作為に（ランダムに）変更した「仮想レーザ出力値：Ｐｖｒ，Ｐｖｇ，Ｐｖｂ（「仮想調整値」の一例）」の組合せを数百から数千通り生成し、生成した各「仮想レーザ出力値：Ｐｖｒ，Ｐｖｇ，Ｐｖｂ」毎に、「予測色度値：ｘｖ，ｙｖ」および「予測測光量：Ｙｖ」をそれぞれ演算する。次いで、「目標色度値：ｘ’，ｙ’」に対する「許容誤差：△ｘ’，△ｙ’」の範囲内の「予測色度値：ｘｖ，ｙｖ」が演算され、かつ「目標測光量」Ｙ’」に対する「許容誤差：△Ｙ’」の範囲内の「予測測光量：Ｙｖ」が演算された「仮想レーザ出力値：Ｐｖｒ，Ｐｖｇ，Ｐｖｂ」を特定する。
【０１０８】
続いて、特定した各「仮想レーザ出力値：Ｐｖｒ，Ｐｖｇ，Ｐｖｂ」のなかで、最も低い値の「仮想レーザ出力値：Ｐｖｒ」を「レーザ出力値：Ｐｒ」の下限値とすると共に最も高い値の「仮想レーザ出力値：Ｐｖｒ」を「レーザ出力値：Ｐｒ」の上限値として赤色レーザ光Ｌｒについての「レーザ出力値：Ｐｒ」の「目標調整値範囲」を特定し、最も低い値の「仮想レーザ出力値：Ｐｖｇ」を「レーザ出力値：Ｐｇ」の下限値とすると共に最も高い値の「仮想レーザ出力値：Ｐｖｇ」を「レーザ出力値：Ｐｇ」の上限値として緑色レーザ光Ｌｇについての「レーザ出力値：Ｐｇ」の「目標調整値範囲」を特定し、かつ最も低い値の「仮想レーザ出力値：Ｐｖｂ」を「レーザ出力値：Ｐｂ」の下限値とすると共に最も高い値の「仮想レーザ出力値：Ｐｖｂ」を「レーザ出力値：Ｐｂ」の上限値として青色レーザ光Ｌｂについての「レーザ出力値：Ｐｂ」の「目標調整値範囲」を特定する。
【０１０９】
続いて、特定した各「目標調整値範囲」に基づいて「調整用情報」としての調整値範囲データＤ０を生成し、生成した調整値範囲データＤ０を記憶部７に記憶させる。以上により、「調整範囲特定処理」が完了する。なお、この「調整範囲特定処理」が完了した以降の各処理（調整作業補助処理２０におけるステップ２４以降の処理）については、前述した例と同様のため、重複する説明を省略する。
【０１１０】
このような手順で「目標調整値範囲」を特定して「調整用情報」としての調整値範囲データＤ０を生成する光量測定装置１によれば、調整値範囲データＤ０に基づいて特定される３つのレーザ光Ｌｒ，Ｌｇ，Ｌｂ毎の「目標調整値範囲」に基づき、少なくとも、各レーザ光Ｌの出射量がそれぞれの「目標調整値範囲」内の「調整値」に対応する出射量となっていない状態においては、「目標色度値：ｘ’，ｙ’」および「目標測光量：Ｙ’」が測定される状態になっていない（調整が完了していない）と判断することができるため、例えば、その時点において測定される「色度値：ｘ，ｙ」および「測光量：Ｙ」と、「目標色度値：ｘ’，ｙ’」および「目標測光量：Ｙ’」とに基づいて、３つのレーザ光Ｌｒ，Ｌｇ，Ｌｂの出射量の調整の要否や調整量を推定する必要がある従来の調整方法とは異なり、各レーザ光Ｌｒ，Ｌｇ，Ｌｂのうちのいずれの出射量を変更すべきか、および各レーザ光Ｌｒ，Ｌｇ，Ｌｂのうちのいずれの出射量を増加させていずれの出射量を減少させるべきかを確実かつ容易に認識することができる。これにより、この種の調整作業に不慣れな作業者であっても、調整作業を短時間で容易に実行することができる。
【０１１１】
また、赤色レーザ、緑色レーザおよび青色レーザを備えたレーザプロジェクタを「調整対象」とする処理手順の例について説明したが、「調整対象」としての「光出力装置」はこれに限定されない、例えば、「赤色光源」、「緑色光源」および「青色光源」を備えた液晶表示器や有機ＥＬ表示器などの各種表示器を「調整対象」として「赤色光」、「緑色光」および「青色光」の出射量を調整する作業を補助することもできる。この場合、液晶表示器や有機ＥＬ表示器においては、「赤色光源」から「赤色光」以外の波長の光が出射され、「緑色光源」から「緑色光」以外の波長の光が出射され、かつ「青色光源」から「青色光」以外の波長の光が出射されることが知られている。
【０１１２】
したがって、液晶表示器や有機ＥＬ表示器を「調整対象」とする場合には、上記の光量測定装置１における受光部２Ｒ，２Ｇ，２Ｂや信号変換部３Ｒ，３Ｇ，３Ｂに代えて、一例として、「赤色光」の波長領域から「青色光」の波長領域までの十分に広い波長領域に亘って各波長の光の測光量を測定可能な分光光度計の構成を備えて「調整用情報生成装置」および「調整作業補助装置」を構成する。また、「測定処理」に際しては、一例として、「赤色光源」だけを点灯させた状態で「赤色光源」から出力される光の「三刺激値：Ｘｒ，Ｙｒ，Ｚｒ」を測定し、「緑色光源」だけを点灯させた状態で「緑色光源」から出力される光の「三刺激値：Ｘｇ，Ｙｇ，Ｚｇ」を測定し、かつ「青色光源」だけを点灯させた状態で「青色光源」から出力される光の「三刺激値：Ｘｂ，Ｙｂ，Ｚｂ」を測定することで、他の光源から出力される光の影響を受けることなく、各光源からの光毎の三刺激値をそれぞれ測定する。
【０１１３】
さらに、「調整値特定処理」においては、一例として、「目標色度値：ｘ’，ｙ’」、「目標測光量：Ｙ’」、および「測定処理」によって測定した各「三刺激値：Ｘｒ，Ｙｒ，Ｚｒ，Ｘｇ，Ｙｇ，Ｚｇ，Ｘｂ，Ｙｂ，Ｚｂ」に基づき、各光源から出力されるべき光毎に、「目標色度値：ｘ’，ｙ’」および「目標測光量：Ｙ’」に対応する「目標三刺激値：Ｘ’ｒ，Ｙ’ｒ，Ｚ’ｒ，Ｘ’ｇ，Ｙ’ｇ，Ｚ’ｇ，Ｘ’ｂ，Ｙ’ｂ，Ｚ’ｂ」そのものを「目標調整値」として演算する。この場合、求められる「目標調整値」は、［数８］に示すようになる。なお、「補正係数：ｋ，ｌ，ｍ」の演算方法等については、前述した例と同様のため、詳細な説明を省略する。
【０１１４】
【数８】
2020127203.tif 000010
【０１１５】
また、「調整範囲特定処理」においては、前述した「レーザ出力値：Ｐｒ，Ｐｇ，Ｐｂ」の調整範囲の特定方法と同様にして、「赤色光源」からの光の「三刺激値：Ｘｒ」の調整範囲、「三刺激値：Ｙｒ」の調整範囲、および「三刺激値：Ｚｒ」の「目標調整値範囲」と、「緑色光源」からの光の「三刺激値：Ｘｇ」の調整範囲、「三刺激値：Ｙｇ」の調整範囲、および「三刺激値：Ｚｇ」の「目標調整値範囲」と、「青色光源」からの光の「三刺激値：Ｘｂ」の調整範囲、「三刺激値：Ｙｂ」の調整範囲、および「三刺激値：Ｚｂ」の「目標調整値範囲」とをそれぞれ特定する。この際に、「目標調整値範囲」の「下限値」および「上限値」を算出する方法、「目標調整値範囲」の「下限値」および「上限値」をシミュレーションによって特定する方法のいずれを採用してもよい。これにより、各「目標調整値範囲」を特定可能な「調整用情報」の生成が完了する。
【０１１６】
一方、調整作業に際しては、一例として、「赤色光源」だけを点灯させた状態で「赤色光源」からの光の出射量を調整し、かつ「緑色光源」だけを点灯させた状態で「緑色光源」からの光の出射量を調整すると共に、「青色光源」だけを点灯させた状態で「青色光源」からの光の出射量を調整する。この際に、例えば、「赤色光源」からの光の出射量を調整しているときには、「赤色光源」からの光の「三刺激値：Ｘ，Ｙ，Ｚ」を測定し、その値が「三刺激値：Ｘｒ」の調整範囲、「三刺激値：Ｙｒ」の調整範囲、および「三刺激値：Ｚｒ」の調整範囲内の値となったときに、「赤色光源」からの光の出射量に関する調整が完了したと判定する。同様にして、「緑色光源」からの光や「青色光源」からの光の出射量についても調整する。
【０１１７】
これにより、液晶表示器や有機ＥＬ表示器において、「赤色光源」、「緑色光源」および「青色光源」のすべてを点灯させたときに、「目標色度値：ｘ’，ｙ’」および「目標測光量：Ｙ’」の測定が可能な状態に調整することができる。なお、液晶表示器や有機ＥＬ表示器の調整作業に際しては、一例として、いずれかの「光源」からの光の出射量を変更する都度（または、作業者によって指定された任意のタイミングで）、すべての「光源」を点灯させて各「光源」からの「合成光」の「色度値：ｘ，ｙ」および「測光量：Ｙ」を測定し、測定結果が許容範囲内の値となっているか否かを判定すると共に、許容範囲内の値であると判定した時点において、調整が完了した旨を報知する構成を採用するのが好ましい。
【０１１８】
また、「第１報知処理」において、測定値（例えば、測定される「レーザ出力値：Ｐ」の値）が「目標調整値範囲」内の値となっているか否かに応じて、その測定値の背景色を変更することで「調整値（測定値）」が「目標調整値範囲」内の値となったことを報知したり、調整状態報知用表示４０（バー４１，４２およびカーソル４３）を表示させることでバー４２に対するカーソル４３の位置によって「調整値（測定値）」が「目標調整値範囲」内の値となったか否かを報知したりする例について説明したが、このような事項を報知するための具体的な構成は、上記の例に限定されない。
【０１１９】
例えば、所定の図柄の表示／非表示を切り替えることで「調整値（測定値）」が「目標調整値範囲」内の値となったことを報知する構成、または測定値や図柄を点滅表示から静止表示に切り替えることで「調整値（測定値）」が「目標調整値範囲」内の値となったことを報知する構成などを採用することができる。また、予め規定された音声の出力（ブザー音や、音声メッセージの出力）によって「調整値（測定値）」が「目標調整値範囲」内の値となったことを報知する構成を採用することもできる。同様にして、「第２報知処理」における報知の方法に関しても、「ＰＡＳＳ」等の文字列の表示に限定されず、「第１報知処理」と同様の各種の報知方法を採用することができる。
【０１２０】
さらに、例えば各レーザからのレーザ光Ｌの出射量が、調整値範囲データＤ０に基づいて特定される「目標調整値範囲（調整完了判定範囲）」内の「調整値」に対応する出射量になっているかを判定する「第１判定処理」、および「第１判定処理」の結果を特定可能に報知する「第１報知処理」を実行する構成・方法を例に挙げて説明したが、このような構成・方法に代えて、各レーザからのレーザ光Ｌの出射量が、調整値範囲データＤ０に基づいて特定される「目標調整値範囲」の「中心値」に対応する出射量を超えて変化させられて「目標調整値範囲」内の「調整値」に対応する出射量になっているかを判定する「第３判定処理」、および「第３判定処理」の結果を特定可能に報知する「第３報知処理」を実行する構成・方法を採用することもできる。
【０１２１】
具体的には、この「第３の判定処理」および「第３報知処理」では、一例として、赤色レーザからの「レーザ出力値：Ｐｒ」が「調整完了判定範囲」よりも小さな値であることで調整作業によって赤色レーザ光Ｌｒの出射量が増加させられたときに、「レーザ出力値：Ｐｒ」が「調整完了判定範囲」の中心値を超えて「調整完了判定範囲」内の値に変化させられたか否か（つまり、「レーザ出力値：Ｐｒ」が「調整完了判定範囲」の中心値よりも大きく、かつ「調整完了判定範囲」の上限値以下の値であるか否か）を判定してその結果を報知する。
【０１２２】
この際に、調整作業によって赤色レーザ光Ｌｒの出射量が必要以上に増加させられたとき（すなわち、「レーザ出力値：Ｐｒ」が「調整完了判定範囲」の中心値を超えて変化させられたものの、「調整完了判定範囲」よりも大きな値に変化させられてしまったとき）には、次に実行する「第３の判定処理」および「第３報知処理」において、「レーザ出力値：Ｐｒ」が「調整完了判定範囲」の中心値を超えて（下回って）「調整完了判定範囲」内の値に変化させられたか否か（つまり、「レーザ出力値：Ｐｒ」が「調整完了判定範囲」の中心値よりも小さく、かつ「調整完了判定範囲」の下限値以上の値であるか否か）を判定してその結果を報知する処理を実行する。
【０１２３】
このような構成・方法を採用することにより、レーザからのレーザ光Ｌの出射量が「目標調整値範囲（調整完了判定範囲）」内の「調整値」に対応する出射量ではないと認識した作業者が調整作業に際して出射量を少しずつ変化させるときに、出射量が「目標調整値範囲」の中心値を超えたと報知されるまで調整作業が継続されることとなるため、出射量が「目標調整値範囲」の内の「調整値」となった時点、すなわち、「目標調整値範囲」の上限値や下限値に近い「調整値」に対応する値となった時点で調整作業が終了されてしまう事態を回避して、「目標調整値範囲」の中心値に近い「調整値」に対応する出射量が特定される状態となるまで好適に調整させることができる。
【０１２４】
さらに、「第１条件」および「第２条件」の少なくとも一方が満たされ、その時点において特定されている「調整完了判定範囲」よりも狭い「調整完了判定範囲」を特定する際に、特定されている「調整完了判定範囲」の下限値および上限値を予め規定された範囲内で変更することで新たな「調整完了判定範囲」を特定する例について説明したが、このような構成に代えて、例えば、直前に実施したステップ２３の処理（調整範囲特定処理）において「調整完了判定範囲」を特定するのに使用した「許容誤差：△ｘ’，△ｙ’，△Ｙ’」の値を小さな値に変更してステップ２３の処理（調整範囲特定処理）を再び実行することで新たな「調整完了判定範囲」を特定する構成を採用することもできる。このような構成を採用した場合には、その後に実行するステップ２６の処理において、新たな「調整完了判定範囲」を特定する際に使用した小さな値の「許容誤差：△ｘ’，△ｙ’，△Ｙ’」に代えて、調整作業補助処理２０の開始時点において規定されていた「許容誤差：△ｘ’，△ｙ’，△Ｙ’」に基づく判別を行うことにより、合成光Ｌｒｇｂの「色度値」および「測光量」の双方が当初の目標範囲内の値となるように確実に調整することができる。
【０１２５】
一方、光量測定装置１を「調整作業補助装置」として動作させて作業者が各レーザ光Ｌｒ，Ｌｇ，Ｌｂの出射量（または、液晶表示器や有機ＥＬ表示器などの各種表示器における各光源からの光の出射量）をそれぞれ調整する調整作業を実施する例について説明したが、光量測定装置１を「調整装置」として動作させて各レーザ光Ｌｒ，Ｌｇ，Ｌｂ等の出射量を「目標調整値範囲」内の「調整値」に自動的に調整させることもできる。
【０１２６】
具体的には、前述した調整作業補助処理２０におけるステップ２３までの処理（「調整用情報生成装置」として実行する処理）を実行して「調整用情報」としての調整値範囲データＤ０を生成する。次いで、調整作業補助処理２０におけるステップ２４の処理と同様の処理を実行することにより、各信号変換部３から出力されている検出信号データＤａ，Ｄｂに基づいて「レーザ出力値：Ｐｒ，Ｐｇ，Ｐｂ」を特定する。続いて、図１に破線で示すように光量測定装置１（処理部６）とレーザプロジェクタとを信号ケーブルによって相互に接続する。
【０１２７】
次いで、特定した「レーザ出力値：Ｐｒ，Ｐｇ，Ｐｂ」が、調整値範囲データＤ０に基づいて特定される「目標調整値範囲（調整完了判定範囲）」内の値になっているか否かを判定する（「各光源からの光の出射量が調整用情報に基づいて特定される目標調整値範囲内の調整値に対応する出射量になっているかを判定する判定処理」の一例）。
【０１２８】
この際に、一例として、「レーザ出力値：Ｐｒ，Ｐｇ，Ｐｂ」が「目標調整値範囲」よりも小さな値のときには、上記の信号ケーブルを介してレーザプロジェクタ（各レーザ）を制御して「レーザ出力値：Ｐｒ，Ｐｇ，Ｐｂ」を増加させる（「各光源からの光の出射量を予め規定された変更量だけ変更する出射量調整処理」の一例）。また、「レーザ出力値：Ｐｒ，Ｐｇ，Ｐｂ」が「目標調整値範囲」よりも大な値のときには、上記の信号ケーブルを介してレーザプロジェクタ（各レーザ）を制御して「レーザ出力値：Ｐｒ，Ｐｇ，Ｐｂ」を減少させる（「各光源からの光の出射量を予め規定された変更量だけ変更する出射量調整処理」の他の一例）。
【０１２９】
この場合、本例の光量測定装置１では、処理部６が、例えば、特定した「レーザ出力値：Ｐｒ」が「目標調整値範囲」内の出力値ではないと判定したときに、特定した「レーザ出力値：Ｐｒ」と「目標調整値範囲」の中心値（すなわち、前述した「目標レーザ出力値Ｐ’ｒ」）との差を演算し、演算した値を、赤色レーザからの赤色レーザ光Ｌｒの出射量の変更量として規定する。
【０１３０】
次いで、特定した「レーザ出力値：Ｐｒ」が「目標調整値範囲」よりも小さな値であったときには、規定した変更量だけ赤色レーザ光Ｌｒの出射量を増加させるようにレーザプロジェクタ（赤色レーザ）を制御し、特定した「レーザ出力値：Ｐｒ」が「目標調整値範囲」よりも大きな値であったときには、規定した変更量だけ赤色レーザ光Ｌｒの出射量を減少させるようにレーザプロジェクタ（赤色レーザ）を制御する。なお、詳細な説明を省略するが、緑色レーザ光Ｌｇおよび青色レーザ光Ｌｂについても赤色レーザ光Ｌｒと同様の処理（「判定処理」、「変更量の規定」および「出力値の変更」）を実行する。
【０１３１】
続いて、処理部６は、各信号変換部３から出力されている検出信号データＤａ，Ｄｂに基づいて「レーザ出力値：Ｐｒ，Ｐｇ，Ｐｂ」を再び特定し、特定した「レーザ出力値：Ｐｒ，Ｐｇ，Ｐｂ」が「目標調整値範囲」の値となっているか否かを再判定する（「出射量調整処理の後に実行する判定処理」の一例）。この際に、特定した「レーザ出力値：Ｐｒ，Ｐｇ，Ｐｂ」が「目標調整値範囲」の値となっているときには、その旨を報知して一連の調整処理を終了する。一方、特定した「レーザ出力値：Ｐｒ，Ｐｇ，Ｐｂ」が「目標調整値範囲」の値となっていないとき（「各光源からの光の出射量が目標調整値範囲を外れた調整値に対応する出射量に変更されたと判定したとき」の一例）には、「変更量の規定」および「出力値の変更」）を再び実行する。
【０１３２】
この場合、本例の光量測定装置１では、例えば、赤色レーザ光Ｌｒについての２回目以降の「変更量の規定」および「出力値の変更」に際して、まず、特定した「レーザ出力値：Ｐｒ」と「目標調整値範囲」の中心値との差を演算すると共に、その「演算した差」と、直前に実行した「変更量の規定」に際して規定した「変更量」とを比較する。
【０１３３】
この際に、「演算した差」が、直前に規定した「変更量」よりも小さいときには、その「演算した差」を赤色レーザ光Ｌｒの出射量の変更量として新たに規定して（次に実行する出射量調整処理時に各光源からの光の出射量を変更する変更量を、直前に実行した出射量調整処理時に各光源からの光の出射量を変更した変更量よりも予め規定された量だけ少なく規定する」との処理の一例）、規定した「変更量」分の「出力値の変更」を実行する。
【０１３４】
また、「演算した差」が、直前に規定した「変更量」よりも大きいとき、すなわち、規定した「変更量」分の出射量の変更を行ったときに、赤色レーザ光Ｌｒ等の出射量が想定しているよりも大きく変化することが判明したときには、直前に規定した「変更量」よりも予め規定された量だけ少ない量（一例として、直前に規定した「変更量」の１／２の量）を新たな「変更量」として規定して（次に実行する出射量調整処理時に各光源からの光の出射量を変更する変更量を、直前に実行した出射量調整処理時に各光源からの光の出射量を変更した変更量よりも予め規定された量だけ少なく規定する」との処理の他の一例）、規定した「変更量」分の「出力値の変更」を実行する。
【０１３５】
これらの処理を、検出信号データＤａ，Ｄｂに基づいて特定される「レーザ出力値：Ｐｒ，Ｐｇ，Ｐｂ」が「目標調整値範囲」内の値となるまで繰り返し実行することにより、各レーザ光Ｌについての調整処理が完了する。なお、上記の「変更量」については、特定した「レーザ出力値：Ｐｒ，Ｐｇ，Ｐｂ」と「目標調整値範囲」の中心値との差に限定されず、一例として、「目標調整値範囲」の大きさに対応する値を「変更量」として規定したり、作業者などが経験則に基づいて任意に定めたりすることができる。また、レーザ光Ｌｒ，Ｌｇ，Ｌｂの調整処理の例について説明したが、液晶表示器や有機ＥＬ表示器などの各種表示器を「調整対象」として調整処理を実行することもできる。
【０１３６】
このように、この光量測定装置１では、任意の色および任意の明るさが認識されるように各光源からの光の出射量をそれぞれ調整可能に構成され、各光源からの光の出射量が「調整用情報」に基づいて特定される「目標調整値範囲」内の調整値に対応する出射量になっているかを判定する「判定処理」を実行し、各光源からの光の出射量が「目標調整値範囲」内の調整値に対応する出射量になっていないときに、各光源からの光の出射量を予め規定された変更量だけ変更する「出射量調整処理」を実行した後に「判定処理」を再び実行する。
【０１３７】
したがって、この光量測定装置１によれば、作業者が「目標調整値範囲」を規定したり、規定した「目標調整値範囲」内の調整値に対応する出射量となるように調整作業を行ったりすることなく、「目標調整値範囲」を規定する処理から、光源からの光の出射量が「目標調整値範囲」内の調整値に対応する出射量となるような調整処理までの一連の処理を自動的に実行させることができるため、この種の装置（作業）に不慣れな者であっても、任意の色および任意の明るさが認識されるように各光源からの光の出射量を確実かつ容易に調整させることができる。
【０１３８】
また、この光量測定装置１では、「出射量調整処理」の後に実行する「判定処理」において、各光源からの光の出射量が、「目標調整値範囲」を外れた調整値に対応する出射量に変更されたと判定したときに、次に実行する「出射量調整処理」時に各光源からの光の出射量を変更する変更量を、直前に実行した「出射量調整処理」時に各光源からの光の出射量を変更した変更量よりも予め規定された量だけ少なく規定する。
【０１３９】
したがって、この光量測定装置１によれば、規定した「変更量」分の出射量の変更を行ったときに、光源からの光の出射量が想定しているよりも大きく変化するような状態であっても、２回目以降の「出射量調整処理」における出射量の変化量が徐々に小さくなるため、少数回の「出射量調整処理」によって各光源からの光の出射量を「目標調整値範囲」内の調整値に対応する出射量に調整することができる。
【符号の説明】
【０１４０】
１  光量測定装置
２Ｒ，２Ｇ，２Ｂ  受光部
３Ｒ，３Ｇ，３Ｂ  信号変換部
４  操作部
５  表示部
６  処理部
７  記憶部
１０ａ，１０ｂ  受光センサ
１１，１２ａ，１２ｂ  光学フィルタ
１３ａ，１３ｂ  光電変換部
２０  調整作業補助処理
４０  調整状態報知用表示
４１ｒ，４１ｇ，４１ｂ，４２ｒ，４２ｇ，４２ｂ  バー
４３ｒ，４３ｇ，４３ｂ  カーソル
Ｄ０  調整値範囲データ
Ｄａ，Ｄｂ  検出信号データ
Ｌｒ  赤色レーザ光
Ｌｇ  緑色レーザ光
Ｌｂ  青色レーザ光
Ｌｒｇｂ  合成光
Ｓａ，Ｓｂ  検出信号
【図１】
2020127203.tif 000011
【図２】
2020127203.tif 000012
【図３】
2020127203.tif 000013
【図４】
2020127203.tif 000014
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
赤色光源からの光の出射量、緑色光源からの光の出射量、および青色光源からの光の出射量を変化させることで色および明るさを任意に変化させる光出力装置を調整対象として任意の色および任意の明るさが認識されるように当該各光源からの光の出射量をそれぞれ調整するための調整用情報を生成する処理部を備えた調整用情報生成装置であって、
前記処理部は、赤色レーザからの赤色レーザ光を前記赤色光源からの光とし、緑色レーザからの緑色レーザ光を前記緑色光源からの光とし、かつ青色レーザからの青色レーザ光を前記青色光源からの光として前記調整用情報を生成するときに、当該各光源から出力される光毎の三刺激値をそれぞれ測定する測定処理と、前記任意の色に対応する目標色度値、前記任意の明るさに対応する目標測光量、および前記測定処理によって測定した前記各三刺激値に基づき、前記各光源から出力されるべき光毎に、当該目標色度値および当該目標測光量に対応する目標三刺激値を特定可能な目標調整値をそれぞれ演算する調整値特定処理と、前記目標色度値、前記目標測光量、予め指定された色度値許容誤差、予め指定された測光量許容誤差、および前記各目標調整値に基づき、前記各光源から出力されるべき光毎に、当該目標色度値に対する当該色度値許容誤差の範囲内の色度値で、かつ当該目標測光量に対する当該測光量許容誤差の範囲内の測光量となる目標三刺激値範囲に対応する出射量についての調整完了判定範囲を目標調整値範囲としてそれぞれ演算する調整範囲特定処理とを実行し、当該調整範囲特定処理によって演算した前記各目標調整値範囲に基づいて前記調整用情報を生成する調整用情報生成装置。
【請求項２】
請求項１記載の調整用情報生成装置を備えた調整作業補助装置であって、
前記処理部は、前記各光源からの光の出射量が、前記調整用情報に基づいて特定される前記目標調整値範囲内の出射量になっているかを判定する第１判定処理、および当該第１判定処理の結果を特定可能に報知する第１報知処理を実行する調整作業補助装置。
【請求項３】
前記処理部は、前記各光源からの光の合成光が、前記目標色度値に対する前記色度値許容誤差の範囲内の色度値になっているか否か、および前記目標測光量に対する前記測光量許容誤差の範囲内の測光量になっているか否かをそれぞれ判定する第２判定処理を実行すると共に、当該合成光が、当該目標色度値に対する当該色度値許容誤差の範囲内の色度値で、かつ当該目標測光量に対する当該測光量許容誤差の範囲内の測光量になっていると判定したときに、当該各光源からの光の出射量の調整が完了したことを特定可能に報知する第２報知処理を実行する請求項２記載の調整作業補助装置。
【請求項４】
前記処理部は、前記第１判定処理において前記目標調整値範囲内の出射量となっていると判定し、かつ前記第２判定処理において前記目標色度値に対する前記色度値許容誤差の範囲内の色度値になっていないと判定する第１条件、および前記第１判定処理において前記目標調整値範囲内の出射量となっていると判定し、かつ前記第２判定処理において前記目標測光量に対する前記測光量許容誤差の範囲内の測光量になっていないと判定する第２条件の少なくとも一方の条件が満たされたときに、直前に特定した前記目標調整値範囲よりも狭い当該目標調整値範囲を特定し、特定した新たな当該目標調整値範囲を新たな前記調整用情報として前記第１判定処理および前記第２判定処理を再び実行する請求項３記載の調整作業補助装置。
【請求項５】
請求項１記載の調整用情報生成装置を備えた調整作業補助装置であって、
前記処理部は、前記各光源からの光の出射量が、前記調整用情報に基づいて特定される前記目標調整値範囲の中心値に対応する出射量を超えて変化させられて当該目標調整値範囲内の出射量になっているかを判定する第３判定処理、および当該第３判定処理の結果を特定可能に報知する第３報知処理を実行する調整作業補助装置。
【請求項６】
請求項１記載の調整用情報生成装置を備え、前記任意の色および前記任意の明るさが認識されるように前記各光源からの光の出射量をそれぞれ調整可能に構成された調整装置であって、
前記処理部は、前記各光源からの光の出射量が前記調整用情報に基づいて特定される前記目標調整値範囲内の出射量になっているかを判定する判定処理を実行し、当該各光源からの光の出射量が当該目標調整値範囲内の出射量になっていないときに、前記各光源からの光の出射量を予め規定された変更量だけ変更する出射量調整処理を実行した後に前記判定処理を再び実行する調整装置。
【請求項７】
前記処理部は、前記出射量調整処理の後に実行する前記判定処理において、前記各光源からの光の出射量が、前記目標調整値範囲を超えて当該目標調整値範囲を外れた出射量に変更されたと判定したときに、次に実行する前記出射量調整処理時に前記各光源からの光の出射量を変更する前記変更量を、直前に実行した前記出射量調整処理時に前記各光源からの光の出射量を変更した前記変更量よりも予め規定された量だけ少なく規定する請求項６記載の調整装置。
【手続補正２】
【補正対象書類名】明細書
【補正対象項目名】００１１
【補正方法】変更
【補正の内容】
【００１１】
上記目的を達成すべく、請求項１記載の調整用情報生成装置は、赤色光源からの光の出射量、緑色光源からの光の出射量、および青色光源からの光の出射量を変化させることで色および明るさを任意に変化させる光出力装置を調整対象として任意の色および任意の明るさが認識されるように当該各光源からの光の出射量をそれぞれ調整するための調整用情報を生成する処理部を備えた調整用情報生成装置であって、前記処理部は、赤色レーザからの赤色レーザ光を前記赤色光源からの光とし、緑色レーザからの緑色レーザ光を前記緑色光源からの光とし、かつ青色レーザからの青色レーザ光を前記青色光源からの光として前記調整用情報を生成するときに、当該各光源から出力される光毎の三刺激値をそれぞれ測定する測定処理と、前記任意の色に対応する目標色度値、前記任意の明るさに対応する目標測光量、および前記測定処理によって測定した前記各三刺激値に基づき、前記各光源から出力されるべき光毎に、当該目標色度値および当該目標測光量に対応する目標三刺激値を特定可能な目標調整値をそれぞれ演算する調整値特定処理と、前記目標色度値、前記目標測光量、予め指定された色度値許容誤差、予め指定された測光量許容誤差、および前記各目標調整値に基づき、前記各光源から出力されるべき光毎に、当該目標色度値に対する当該色度値許容誤差の範囲内の色度値で、かつ当該目標測光量に対する当該測光量許容誤差の範囲内の測光量となる目標三刺激値範囲に対応する出射量についての調整完了判定範囲を目標調整値範囲としてそれぞれ演算する調整範囲特定処理とを実行し、当該調整範囲特定処理によって演算した前記各目標調整値範囲に基づいて前記調整用情報を生成する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、請求項２記載の調整作業補助装置は、請求項１記載の調整用情報生成装置を備えた調整作業補助装置であって、前記処理部は、前記各光源からの光の出射量が、前記調整用情報に基づいて特定される前記目標調整値範囲内の出射量になっているかを判定する第１判定処理、および当該第１判定処理の結果を特定可能に報知する第１報知処理を実行する。
【手続補正５】
【補正対象書類名】明細書
【補正対象項目名】００１４
【補正方法】変更
【補正の内容】
【００１４】
さらに、請求項３記載の調整作業補助装置は、請求項２記載の調整作業補助装置において、前記処理部は、前記各光源からの光の合成光が、前記目標色度値に対する前記色度値許容誤差の範囲内の色度値になっているか否か、および前記目標測光量に対する前記測光量許容誤差の範囲内の測光量になっているか否かをそれぞれ判定する第２判定処理を実行すると共に、当該合成光が、当該目標色度値に対する当該色度値許容誤差の範囲内の色度値で、かつ当該目標測光量に対する当該測光量許容誤差の範囲内の測光量になっていると判定したときに、当該各光源からの光の出射量の調整が完了したことを特定可能に報知する第２報知処理を実行する。
【手続補正６】
【補正対象書類名】明細書
【補正対象項目名】００１５
【補正方法】変更
【補正の内容】
【００１５】
さらに、請求項４記載の調整作業補助装置は、請求項３記載の調整作業補助装置において、前記処理部は、前記第１判定処理において前記目標調整値範囲内の出射量となっていると判定し、かつ前記第２判定処理において前記目標色度値に対する前記色度値許容誤差の範囲内の色度値になっていないと判定する第１条件、および前記第１判定処理において前記目標調整値範囲内の出射量となっていると判定し、かつ前記第２判定処理において前記目標測光量に対する前記測光量許容誤差の範囲内の測光量になっていないと判定する第２条件の少なくとも一方の条件が満たされたときに、直前に特定した前記目標調整値範囲よりも狭い当該目標調整値範囲を特定し、特定した新たな当該目標調整値範囲を新たな前記調整用情報として前記第１判定処理および前記第２判定処理を再び実行する。
【手続補正７】
【補正対象書類名】明細書
【補正対象項目名】００１６
【補正方法】変更
【補正の内容】
【００１６】
請求項５記載の調整作業補助装置は、請求項１記載の調整用情報生成装置を備えた調整作業補助装置であって、前記処理部は、前記各光源からの光の出射量が、前記調整用情報に基づいて特定される前記目標調整値範囲の中心値に対応する出射量を超えて変化させられて当該目標調整値範囲内の出射量になっているかを判定する第３判定処理、および当該第３判定処理の結果を特定可能に報知する第３報知処理を実行する。
【手続補正８】
【補正対象書類名】明細書
【補正対象項目名】００１７
【補正方法】変更
【補正の内容】
【００１７】
請求項６記載の調整装置は、請求項１記載の調整用情報生成装置を備え、前記任意の色および前記任意の明るさが認識されるように前記各光源からの光の出射量をそれぞれ調整可能に構成された調整装置であって、前記処理部は、前記各光源からの光の出射量が前記調整用情報に基づいて特定される前記目標調整値範囲内の出射量になっているかを判定する判定処理を実行し、当該各光源からの光の出射量が当該目標調整値範囲内の出射量になっていないときに、前記各光源からの光の出射量を予め規定された変更量だけ変更する出射量調整処理を実行した後に前記判定処理を再び実行する。
【手続補正９】
【補正対象書類名】明細書
【補正対象項目名】００１８
【補正方法】変更
【補正の内容】
【００１８】
請求項７記載の調整装置は、請求項６記載の調整装置において、前記処理部は、前記出射量調整処理の後に実行する前記判定処理において、前記各光源からの光の出射量が、前記目標調整値範囲を超えて当該目標調整値範囲を外れた出射量に変更されたと判定したときに、次に実行する前記出射量調整処理時に前記各光源からの光の出射量を変更する前記変更量を、直前に実行した前記出射量調整処理時に前記各光源からの光の出射量を変更した前記変更量よりも予め規定された量だけ少なく規定する。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
したがって、請求項１記載の調整用情報生成装置によれば、調整用情報に基づいて特定される３つの光（各光源からの光）毎の目標調整値範囲に基づき、少なくとも、各光源からの光の出射量がそれぞれの目標調整値範囲内の出射量となっていない状態においては、目標色度値および目標測光量が測定される状態になっていない（調整が完了していない）と判断することができるため、例えば、その時点において測定される色度値および測光量と、目標色度値および目標測光量とに基づいて、各光の出射量の調整の要否や調整量を推定する必要がある従来の調整方法とは異なり、各光のうちのいずれの出射量を変更すべきか、および各光のうちのいずれの出射量を増加させていずれの出射量を減少させるべきかを確実かつ容易に認識することができる。これにより、この種の調整作業に不慣れな作業者であっても、調整作業を短時間で容易に実行することができる。
【手続補正１２】
【補正対象書類名】明細書
【補正対象項目名】００２２
【補正方法】変更
【補正の内容】
【００２２】
請求項２記載の調整作業補助装置によれば、各光源からの光の出射量が、調整用情報に基づいて特定される目標調整値範囲内の出射量になっているかを判定する第１判定処理を実行すると共に、第１判定処理の結果を特定可能に報知する第１報知処理を実行することにより、調整作業中の光源からの光の出射量が目標調整値範囲内の出射量になったか否かを容易に認識することができるため、この種の調整作業に不慣れな作業者であっても、調整作業を一層容易に実行することができる。
【手続補正１３】
【補正対象書類名】明細書
【補正対象項目名】００２３
【補正方法】変更
【補正の内容】
【００２３】
請求項３記載の調整作業補助装置によれば、各光源からの光の合成光が、目標色度値に対する色度値許容誤差の範囲内の色度値で、かつ目標測光量に対する測光量許容誤差の範囲内の測光量になっていると判定したときに、各光源からの光の出射量の調整が完了したことを特定可能に報知する第２報知処理を実行することにより、例えば、各光源からの光毎の調整作業中に、いずれかの光の出射量が目標調整値範囲内の出射量とはなっていなくても、合成光の色度値が目標色度値に対する色度値許容誤差の範囲内の値で、測光量が目標測光量に対する測光量許容誤差の範囲内の値となったとき、すなわち、それ以上の調整作業が不要な状態となったときに、不要な調整作業を継続させることなく、調整作業を速やかに終了させることができる。
【手続補正１４】
【補正対象書類名】明細書
【補正対象項目名】００２４
【補正方法】変更
【補正の内容】
【００２４】
請求項４記載の調整作業補助装置では、第１判定処理において目標調整値範囲内の出射量となっていると判定し、かつ第２判定処理において目標色度値に対する色度値許容誤差の範囲内の色度値になっていないと判定する第１条件、および第１判定処理において目標調整値範囲内の出射量となっていると判定し、かつ第２判定処理において目標測光量に対する測光量許容誤差の範囲内の測光量になっていないと判定する第２条件の少なくとも一方の条件が満たされたときに、直前に特定した目標調整値範囲よりも狭い目標調整値範囲を特定し、特定した新たな目標調整値範囲を新たな調整用情報として第１判定処理および第２判定処理を再び実行する。
【手続補正１５】
【補正対象書類名】明細書
【補正対象項目名】００２５
【補正方法】変更
【補正の内容】
【００２５】
したがって、請求項４記載の調整作業補助装置によれば、例えば、各光源からの光の出射量が目標調整値範囲の下限値や上限値付近の出射量に調整されることで合成光の色度値および／または測光量が目標範囲内の値になっていない状態（第１条件および第２条件の少なくとも一方が満たされた状態）となってしまっても、自動的に新たに特定される目標調整値範囲内の出射量となるような調整作業を実施することで、合成光の色度値および測光量の双方が目標範囲内の値となるように確実に調整することができる。
【手続補正１６】
【補正対象書類名】明細書
【補正対象項目名】００２６
【補正方法】変更
【補正の内容】
【００２６】
請求項５記載の調整作業補助装置によれば、各光源からの光の出射量が、調整用情報に基づいて特定される目標調整値範囲の中心値に対応する出射量を超えて変化させられて目標調整値範囲内の出射量になっているかを判定する第３判定処理、および第３判定処理の結果を特定可能に報知する第３報知処理を実行することにより、光源からの光の出射量が目標調整値範囲内の出射量ではないと認識した作業者が調整作業に際して出射量を少しずつ変化させるときに、特定される出射量が目標調整値範囲の中心値に対応する値を超えたと報知されるまで調整作業が継続されることとなるため、出射量が目標調整値範囲内の値となった時点、すなわち、目標調整値範囲の上限値や下限値に近い出射量となった時点で調整作業が終了されてしまう事態を回避して、目標調整値範囲の中心値に近い出射量が特定される状態となるまで好適に調整させることができる。
【手続補正１７】
【補正対象書類名】明細書
【補正対象項目名】００２７
【補正方法】変更
【補正の内容】
【００２７】
請求項６記載の調整装置では、任意の色および任意の明るさが認識されるように各光源からの光の出射量をそれぞれ調整可能に構成され、各光源からの光の出射量が調整用情報に基づいて特定される目標調整値範囲内の出射量になっているかを判定する判定処理を実行し、各光源からの光の出射量が目標調整値範囲内の出射量になっていないときに、各光源からの光の出射量を予め規定された変更量だけ変更する出射量調整処理を実行した後に判定処理を再び実行する。
【手続補正１８】
【補正対象書類名】明細書
【補正対象項目名】００２８
【補正方法】変更
【補正の内容】
【００２８】
したがって、請求項６記載の調整装置によれば、作業者が目標調整値範囲を規定したり、規定した目標調整値範囲内の出射量となるように調整作業を行ったりすることなく、目標調整値範囲を規定する処理から、光源からの光の出射量が目標調整値範囲内の出射量となるような調整処理までの一連の処理を自動的に実行させることができるため、この種の装置（作業）に不慣れな者であっても、任意の色および任意の明るさが認識されるように各光源からの光の出射量を確実かつ容易に調整させることができる。
【手続補正１９】
【補正対象書類名】明細書
【補正対象項目名】００２９
【補正方法】変更
【補正の内容】
【００２９】
請求項７記載の調整装置では、出射量調整処理の後に実行する判定処理において、各光源からの光の出射量が、目標調整値範囲を外れた出射量に変更されたと判定したときに、次に実行する出射量調整処理時に各光源からの光の出射量を変更する変更量を、直前に実行した出射量調整処理時に各光源からの光の出射量を変更した変更量よりも予め規定された量だけ少なく規定する。
【手続補正２０】
【補正対象書類名】明細書
【補正対象項目名】００３０
【補正方法】変更
【補正の内容】
【００３０】
したがって、請求項７記載の調整装置によれば、規定した変更量分の出射量の変更を行ったときに、光源からの光の出射量が想定しているよりも大きく変化するような状態であっても、２回目以降の出射量調整処理における出射量の変化量が徐々に小さくなるため、少数回の出射量調整処理によって各光源からの光の出射量を目標調整値範囲内の出射量に調整することができる。
【手続補正２１】
【補正対象書類名】明細書
【補正対象項目名】００３３
【補正方法】変更
【補正の内容】
【００３３】
図１に示す光量測定装置１は、「調整用情報生成装置」を備えて構成された「調整作業補助装置」および「調整装置」の一例であって、赤色レーザ（「赤色光源」の一例）からの赤色レーザ光Ｌｒの出射量、緑色レーザ（「緑色光源」の一例）からの緑色レーザ光Ｌｇの出射量、および青色レーザ（「青色光源」の一例）からの青色レーザ光Ｌｂの出射量を変化させることにより、赤色レーザ光Ｌｒ、緑色レーザ光Ｌｇおよび青色レーザ光Ｌｂの合成光Ｌｒｇｂによって観者に認識させる色および明るさを任意に変化させるレーザプロジェクタ（「光出力装置」の一例）を「調整対象」とするホワイトバランスの調整作業（「任意の色および任意の明るさが認識されるように各光源からの光の出射量をそれぞれ調整する」との作業の一例）の補助や、自動調整処理を実行可能に構成されている。
【手続補正２２】
【補正対象書類名】明細書
【補正対象項目名】０１０１
【補正方法】変更
【補正の内容】
【０１０１】
したがって、この光量測定装置１によれば、調整値範囲データＤ０に基づいて特定される３つのレーザ光Ｌｒ，Ｌｇ，Ｌｂ毎の「目標調整値範囲」に基づき、少なくとも、各レーザ光Ｌの出射量がそれぞれの「目標調整値範囲」内の出射量となっていない状態においては、「目標色度値：ｘ’，ｙ’」および「目標測光量：Ｙ’」が測定される状態になっていない（調整が完了していない）と判断することができるため、例えば、その時点において測定される「色度値：ｘ，ｙ」および「測光量：Ｙ」と、「目標色度値：ｘ’，ｙ’」および「目標測光量：Ｙ’」とに基づいて、３つのレーザ光Ｌｒ，Ｌｇ，Ｌｂの出射量の調整の要否や調整量を推定する必要がある従来の調整方法とは異なり、各レーザ光Ｌｒ，Ｌｇ，Ｌｂのうちのいずれの出射量を変更すべきか、および各レーザ光Ｌｒ，Ｌｇ，Ｌｂのうちのいずれの出射量を増加させていずれの出射量を減少させるべきかを確実かつ容易に認識することができる。これにより、この種の調整作業に不慣れな作業者であっても、調整作業を短時間で容易に実行することができる。
【手続補正２３】
【補正対象書類名】明細書
【補正対象項目名】０１０２
【補正方法】変更
【補正の内容】
【０１０２】
また、この光量測定装置１によれば、各レーザからのレーザ光Ｌの出射量が、調整値範囲データＤ０に基づいて特定される「目標調整値範囲」内の出射量になっているかを判定する「第１判定処理」を実行すると共に（ステップ２４，２５）、「第１判定処理」の結果を特定可能に報知する「第１報知処理」を実行することにより（ステップ２８）、調整作業中のレーザからのレーザ光Ｌの出射量が「目標調整値範囲」内の出射量になったか否かを容易に認識することができるため、この種の調整作業に不慣れな作業者であっても、調整作業を一層容易に実行することができる。
【手続補正２４】
【補正対象書類名】明細書
【補正対象項目名】０１０４
【補正方法】変更
【補正の内容】
【０１０４】
さらに、この光量測定装置１では、上記の「第１判定処理」において「目標調整値範囲」内の出射量となっていると判定し、かつ「第２判定処理」において「目標色度値：ｘ’，ｙ’」に対する「許容誤差：△ｘ’，△ｙ’」の範囲内の「色度値：ｘ，ｙ」になっていないと判定する「第１条件」、および「第１判定処理」において「目標調整値範囲」内の出射量となっていると判定し、かつ「第２判定処理」において「目標測光量：Ｙ’」に対する「許容誤差：△Ｙ’」の範囲内の「測光量：Ｙ」になっていないと判定する「第２条件」の少なくとも一方の条件が満たされたときに、直前に特定した「目標調整値範囲」よりも狭い「目標調整値範囲」を特定し（ステップ３０）、特定した新たな「目標調整値範囲」を新たな「調整用情報」として調整値範囲データＤ０を生成して「第１判定処理」および「第２判定処理」を再び実行する。
【手続補正２５】
【補正対象書類名】明細書
【補正対象項目名】０１０５
【補正方法】変更
【補正の内容】
【０１０５】
したがって、この光量測定装置１によれば、例えば、各レーザ光Ｌｒ，Ｌｇ，Ｌｂの出射量が「目標調整値範囲」の「下限値」や「上限値」付近の出射量に調整されることで各レーザ光Ｌｒ，Ｌｇ，Ｌｂの合成光Ｌｒｇｂの「色度値」および／または「測光量」が目標範囲内の値になっていない状態（「第１条件」および「第２条件」の少なくとも一方が満たされた状態）となってしまっても、自動的に新たに特定される「目標調整値範囲」内の出射量となるような調整作業を実施することで、合成光Ｌｒｇｂの「色度値」および「測光量」の双方が目標範囲内の値となるように確実に調整することができる。
【手続補正２６】
【補正対象書類名】明細書
【補正対象項目名】０１０６
【補正方法】変更
【補正の内容】
【０１０６】
なお、「調整用情報生成装置」および「調整作業補助装置」の構成は、上記の光量測定装置１の構成の例に限定されない。
【手続補正２７】
【補正対象書類名】明細書
【補正対象項目名】０１０７
【補正方法】削除
【補正の内容】
【手続補正２８】
【補正対象書類名】明細書
【補正対象項目名】０１０８
【補正方法】削除
【補正の内容】
【手続補正２９】
【補正対象書類名】明細書
【補正対象項目名】０１０９
【補正方法】削除
【補正の内容】
【手続補正３０】
【補正対象書類名】明細書
【補正対象項目名】０１１０
【補正方法】削除
【補正の内容】
【手続補正３１】
【補正対象書類名】明細書
【補正対象項目名】０１１１
【補正方法】削除
【補正の内容】
【手続補正３２】
【補正対象書類名】明細書
【補正対象項目名】０１１２
【補正方法】削除
【補正の内容】
【手続補正３３】
【補正対象書類名】明細書
【補正対象項目名】０１１３
【補正方法】削除
【補正の内容】
【手続補正３４】
【補正対象書類名】明細書
【補正対象項目名】０１１４
【補正方法】削除
【補正の内容】
【手続補正３５】
【補正対象書類名】明細書
【補正対象項目名】０１１５
【補正方法】削除
【補正の内容】
【手続補正３６】
【補正対象書類名】明細書
【補正対象項目名】０１１６
【補正方法】削除
【補正の内容】
【手続補正３７】
【補正対象書類名】明細書
【補正対象項目名】０１１７
【補正方法】削除
【補正の内容】
【手続補正３８】
【補正対象書類名】明細書
【補正対象項目名】０１１８
【補正方法】変更
【補正の内容】
【０１１８】
例えば、「第１報知処理」において、測定値（例えば、測定される「レーザ出力値：Ｐ」の値）が「目標調整値範囲」内の値となっているか否かに応じて、その測定値の背景色を変更することで「出射量（測定値）」が「目標調整値範囲」内の値となったことを報知したり、調整状態報知用表示４０（バー４１，４２およびカーソル４３）を表示させることでバー４２に対するカーソル４３の位置によって「出射量（測定値）」が「目標調整値範囲」内の値となったか否かを報知したりする例について説明したが、このような事項を報知するための具体的な構成は、上記の例に限定されない。
【手続補正３９】
【補正対象書類名】明細書
【補正対象項目名】０１１９
【補正方法】変更
【補正の内容】
【０１１９】
具体的には、一例として、所定の図柄の表示／非表示を切り替えることで「出射量（測定値）」が「目標調整値範囲」内の値となったことを報知する構成、または測定値や図柄を点滅表示から静止表示に切り替えることで「出射量（測定値）」が「目標調整値範囲」内の値となったことを報知する構成などを採用することができる。また、予め規定された音声の出力（ブザー音や、音声メッセージの出力）によって「出射量（測定値）」が「目標調整値範囲」内の値となったことを報知する構成を採用することもできる。同様にして、「第２報知処理」における報知の方法に関しても、「ＰＡＳＳ」等の文字列の表示に限定されず、「第１報知処理」と同様の各種の報知方法を採用することができる。
【手続補正４０】
【補正対象書類名】明細書
【補正対象項目名】０１２０
【補正方法】変更
【補正の内容】
【０１２０】
さらに、例えば各レーザからのレーザ光Ｌの出射量が、調整値範囲データＤ０に基づいて特定される「目標調整値範囲（調整完了判定範囲）」内の出射量になっているかを判定する「第１判定処理」、および「第１判定処理」の結果を特定可能に報知する「第１報知処理」を実行する構成・方法を例に挙げて説明したが、このような構成・方法に代えて、各レーザからのレーザ光Ｌの出射量が、調整値範囲データＤ０に基づいて特定される「目標調整値範囲」の「中心値」に対応する出射量を超えて変化させられて「目標調整値範囲」内の出射量になっているかを判定する「第３判定処理」、および「第３判定処理」の結果を特定可能に報知する「第３報知処理」を実行する構成・方法を採用することもできる。
【手続補正４１】
【補正対象書類名】明細書
【補正対象項目名】０１２３
【補正方法】変更
【補正の内容】
【０１２３】
このような構成・方法を採用することにより、レーザからのレーザ光Ｌの出射量が「目標調整値範囲（調整完了判定範囲）」内の出射量ではないと認識した作業者が調整作業に際して出射量を少しずつ変化させるときに、出射量が「目標調整値範囲」の中心値を超えたと報知されるまで調整作業が継続されることとなるため、出射量が「目標調整値範囲」の内の出射量となった時点、すなわち、「目標調整値範囲」の上限値や下限値に近い出射量となった時点で調整作業が終了されてしまう事態を回避して、「目標調整値範囲」の中心値に近い出射量が特定される状態となるまで好適に調整させることができる。
【手続補正４２】
【補正対象書類名】明細書
【補正対象項目名】０１２５
【補正方法】変更
【補正の内容】
【０１２５】
一方、光量測定装置１を「調整作業補助装置」として動作させて作業者が各レーザ光Ｌｒ，Ｌｇ，Ｌｂの出射量をそれぞれ調整する調整作業を実施する例について説明したが、光量測定装置１を「調整装置」として動作させて各レーザ光Ｌｒ，Ｌｇ，Ｌｂ等の出射量を「目標調整値範囲」内の出射量に自動的に調整させることもできる。
【手続補正４３】
【補正対象書類名】明細書
【補正対象項目名】０１２７
【補正方法】変更
【補正の内容】
【０１２７】
次いで、特定した「レーザ出力値：Ｐｒ，Ｐｇ，Ｐｂ」が、調整値範囲データＤ０に基づいて特定される「目標調整値範囲（調整完了判定範囲）」内の値になっているか否かを判定する（「各光源からの光の出射量が調整用情報に基づいて特定される目標調整値範囲内の出射量になっているかを判定する判定処理」の一例）。
【手続補正４４】
【補正対象書類名】明細書
【補正対象項目名】０１３１
【補正方法】変更
【補正の内容】
【０１３１】
続いて、処理部６は、各信号変換部３から出力されている検出信号データＤａ，Ｄｂに基づいて「レーザ出力値：Ｐｒ，Ｐｇ，Ｐｂ」を再び特定し、特定した「レーザ出力値：Ｐｒ，Ｐｇ，Ｐｂ」が「目標調整値範囲」の値となっているか否かを再判定する（「出射量調整処理の後に実行する判定処理」の一例）。この際に、特定した「レーザ出力値：Ｐｒ，Ｐｇ，Ｐｂ」が「目標調整値範囲」の値となっているときには、その旨を報知して一連の調整処理を終了する。一方、特定した「レーザ出力値：Ｐｒ，Ｐｇ，Ｐｂ」が「目標調整値範囲」の値となっていないとき（「各光源からの光の出射量が目標調整値範囲を外れた出射量に変更されたと判定したとき」の一例）には、「変更量の規定」および「出力値の変更」）を再び実行する。
【手続補正４５】
【補正対象書類名】明細書
【補正対象項目名】０１３５
【補正方法】変更
【補正の内容】
【０１３５】
これらの処理を、検出信号データＤａ，Ｄｂに基づいて特定される「レーザ出力値：Ｐｒ，Ｐｇ，Ｐｂ」が「目標調整値範囲」内の値となるまで繰り返し実行することにより、各レーザ光Ｌについての調整処理が完了する。なお、上記の「変更量」については、特定した「レーザ出力値：Ｐｒ，Ｐｇ，Ｐｂ」と「目標調整値範囲」の中心値との差に限定されず、一例として、「目標調整値範囲」の大きさに対応する値を「変更量」として規定したり、作業者などが経験則に基づいて任意に定めたりすることができる。
【手続補正４６】
【補正対象書類名】明細書
【補正対象項目名】０１３６
【補正方法】変更
【補正の内容】
【０１３６】
このように、この光量測定装置１では、任意の色および任意の明るさが認識されるように各光源からの光の出射量をそれぞれ調整可能に構成され、各光源からの光の出射量が「調整用情報」に基づいて特定される「目標調整値範囲」内の出射量になっているかを判定する「判定処理」を実行し、各光源からの光の出射量が「目標調整値範囲」内の出射量になっていないときに、各光源からの光の出射量を予め規定された変更量だけ変更する「出射量調整処理」を実行した後に「判定処理」を再び実行する。
【手続補正４７】
【補正対象書類名】明細書
【補正対象項目名】０１３７
【補正方法】変更
【補正の内容】
【０１３７】
したがって、この光量測定装置１によれば、作業者が「目標調整値範囲」を規定したり、規定した「目標調整値範囲」内の出射量となるように調整作業を行ったりすることなく、「目標調整値範囲」を規定する処理から、光源からの光の出射量が「目標調整値範囲」内の出射量となるような調整処理までの一連の処理を自動的に実行させることができるため、この種の装置（作業）に不慣れな者であっても、任意の色および任意の明るさが認識されるように各光源からの光の出射量を確実かつ容易に調整させることができる。
【手続補正４８】
【補正対象書類名】明細書
【補正対象項目名】０１３８
【補正方法】変更
【補正の内容】
【０１３８】
また、この光量測定装置１では、「出射量調整処理」の後に実行する「判定処理」において、各光源からの光の出射量が、「目標調整値範囲」を外れた出射量に変更されたと判定したときに、次に実行する「出射量調整処理」時に各光源からの光の出射量を変更する変更量を、直前に実行した「出射量調整処理」時に各光源からの光の出射量を変更した変更量よりも予め規定された量だけ少なく規定する。
【手続補正４９】
【補正対象書類名】明細書
【補正対象項目名】０１３９
【補正方法】変更
【補正の内容】
【０１３９】
したがって、この光量測定装置１によれば、規定した「変更量」分の出射量の変更を行ったときに、光源からの光の出射量が想定しているよりも大きく変化するような状態であっても、２回目以降の「出射量調整処理」における出射量の変化量が徐々に小さくなるため、少数回の「出射量調整処理」によって各光源からの光の出射量を「目標調整値範囲」内の出射量に調整することができる。